(57)【要約】【目的】証紙を透視し得る窓の前面側を透明板によって被覆することにより、遊技機の前面の意匠性を低下させることなく証紙の取り外し等の不正行為を防止することができる遊技機を提供する。【構成】透明板保持枠は、下部第２カバー部材２２４の前面に下部第１カバー部材２２１を重ねることにより形成される下部装飾ユニット２５を有し、透視窓２２５ａ，２２５ｂは、下部第２カバー部材２２４に形成され、透視窓２２５ａ，２２５ｂの前面側には、透視窓２２５ａ，２２５ｂを被覆する下部第１カバー部材２２１が位置していることにより、証紙を透視し得る透視窓２２５ａ，２２５ｂの前面側から下部第１カバー部材２２１によって透視窓２２５ａ，２２５ｂが被覆され、透視窓２２５ａ，２２５ｂと下部第１カバー部材２２１との間に隙間が形成されないため、ピアノ線等の異物を侵入させることができなくなり、不正に利益を得る等の不正行為を防止することができる。【選択図】　　　　図１５
2004065688.tif 000002
【特許請求の範囲】
【請求項１】
遊技盤の遊技領域を透視し得る遊技開口と前記遊技盤に配置された証明手段を透視し得る透視窓とが形成されると共に前記遊技開口に対応して透明板を装着可能とする透明板保持枠を枠基体に対して開閉自在に設けた遊技機において、
前記透明板保持枠は、有色の化粧部材の前面に透明の化粧部材を重ねることにより形成される前面構成部材を有し、
前記透視窓は、前記有色の化粧部材に形成され、
前記透視窓の前面側には、該透視窓を被覆する前記透明の化粧部材が位置していることを特徴とする遊技機。
【請求項２】
前記有色の化粧部材の前面には、前記透明の化粧部材との位置決めをするための位置決め部が形成されていることを特徴とする請求項１記載の遊技機。
【請求項３】
前記透明板保持枠は、前記前面構成部材の後面側に位置し且つ前記透視窓と対応する位置に前記証明手段を透視し得る後面透視窓が形成され、
前記前面構成部材には、前記透視窓の内側壁面と前記透明の化粧部材の後面とにより透視窓凹部が形成され、
前記後面透視窓の外周縁には、前記透視窓凹部の内側と嵌合する透視窓凸部が突設されていることを特徴とする請求項１又は請求項２記載の遊技機。
【発明の詳細な説明】
【０００１】
【発明の属する技術分野】
本発明は、遊技盤の遊技領域を透視し得る遊技開口と前記遊技盤に配置された証明手段を透視し得る透視窓とが形成されると共に前記遊技開口に対応して透明板を装着可能とする透明板保持枠を枠基体に対して開閉自在に設けた遊技機に関するものである。
【０００２】
【従来の技術】
一般に、遊技機においては、遊技機が遊技場に設置されたときにそれらが関係機関によって正規に認められたものであるということを証明するための、いわゆる証紙が遊技盤の前面に取り付けられている。この証紙は、通常の状態で前方から容易に視認される必要があるため、従来、例えば、特開平８−１３１６３４号に示されるように、遊技領域を透視し得る遊技開口を有する透明板保持枠に証紙を透視し得る窓を形成し、この窓の後面から透明部材を取り付けたものや、あるいは、特開平１０−０９４６５１号に示されるように、遊技盤面を透視し得る開口部を有するガラス枠に証紙を透視し得る飾り窓を形成し、ガラス枠の後面側に１枚のガラス板を取り付けて開口部と飾り窓とを同時に塞ぐもの等が提案されていた。
【０００３】
【発明が解決しようとする課題】
ところが、従来の前面構成部材の場合、上記したように、証紙が透視される窓は、その後面側から透明板によって覆われるものであったため、透明板を押し込んで窓と透明板との間の隙間からピアノ線等の異物を差し込み、証紙を取り外す等の不正行為が行なわれ易いものであった。本発明は、上記した事情に鑑みなされたもので、その目的とするところは、証紙を透視し得る窓の前面側を透明板によって被覆することにより、遊技機の前面の意匠性を低下させることなく証紙の取り外し等の不正行為を防止することができる遊技機を提供することにある。
【０００４】
【課題を解決するための手段】
上記目的を達成するために、請求項１の発明においては、遊技盤の遊技領域を透視し得る遊技開口と前記遊技盤に配置された証明手段を透視し得る透視窓とが形成されると共に前記遊技開口に対応して透明板を装着可能とする透明板保持枠を枠基体に対して開閉自在に設けた遊技機において、前記透明板保持枠は、有色の化粧部材の前面に透明の化粧部材を重ねることにより形成される前面構成部材を有し、前記透視窓は、前記有色の化粧部材に形成され、前記透視窓の前面側には、該透視窓を被覆する前記透明の化粧部材が位置していることを特徴とする。このように構成することにより、証明手段を透視し得る透視窓の前面側から透明の化粧部材によって透視窓が被覆され、透視窓と透明の化粧部材との間に隙間が形成されないため、ピアノ線等の異物を侵入させることができなくなる。このように、透明の化粧部材を遊技機の前面側に位置させる構造で遊技機内へ異物の侵入を防止できるため、遊技機の意匠性を低下させることなく透視窓から異物を侵入させ、不正に利益を得る等の不正行為を防止することができる。
【０００５】
また、請求項２の発明においては、前記有色の化粧部材の前面には、前記透明の化粧部材との位置決めをするための位置決め部が形成されていることを特徴とする。このように構成することにより、有色の化粧部材と透明の化粧部材との位置決め確実に行なうことができるため、有色の化粧部材の位置がずれて証明手段が見えなくなってしまうことを防止することができる。
【０００６】
更に、請求項３の発明においては、前記透明板保持枠は、前記前面構成部材の後面側に位置し且つ前記透視窓と対応する位置に前記証明手段を透視し得る後面透視窓が形成され、前記前面構成部材には、前記透視窓の内側壁面と前記透明の化粧部材の後面とにより透視窓凹部が形成され、前記後面透視窓の外周縁には、前記透視窓凹部の内側と嵌合する透視窓凸部が突設されていることを特徴とする。このように構成することにより、万が一、透明の化粧部材と有色の化粧部材との間に異物が侵入され、不正行為が行われようとした場合であっても、透視窓凸部によって異物の侵入を阻止することができ、より不正行為を防止することができる。
【０００７】
【発明の実施の形態】
以下、図面を参照して、本発明の実施形態について説明する。なお、以下の説明においては、弾球遊技機１の遊技者側を表，表面，前面，前方で表わし、弾球遊技機１を挟んで遊技者と反対側を裏，裏面，後面，後方，奥，背面で示す。まず、図１乃至図６を参照して実施形態に係る弾球遊技機１の全体の構成について説明する。図１は、本実施形態に係る弾球遊技機１の正面図であり、図２は、弾球遊技機１の側面図であり、図３は、弾球遊技機１の平面図であり、図４は、弾球遊技機１の正面斜視図であり、図５は、弾球遊技機１の背面図であり、図６は、弾球遊技機１の背面斜視図である。
【０００８】
弾球遊技機１は、図１乃至図６に示すように、縦長な方形状に枠組み形成される外枠２と、該外枠２の一側に開閉自在に軸支され且つ弾球遊技機１の主要構成部のほぼすべてが集約して設けられる枠基体３と、該枠基体３の前面上部に開閉自在に設けられる透明板保持枠４と、枠基体３の前面下部に開閉自在に設けられる上皿開閉枠１１と、から構成されている。また、枠基体３に設けられる主要構成部としては、上記した透明板保持枠４、遊技盤４０、下皿２７、灰皿ユニット２９、操作ハンドル３０、機構板１４０、打球発射装置１３０がある。また、図示の実施形態では、弾球遊技機１の側方に遊技者に遊技球を貸し出す（球貸しする）ためのカードユニット装置３１が付設されている。
【０００９】
透明板保持枠４には、後述する遊技盤４０の遊技領域４１をほぼ透視し得る遊技開口としての円形透視窓５が開設され、該円形透視窓５の裏面から複層ガラス板が装着されるようになっている。この円形透視窓５及び複層ガラス板は、いずれも縦長な円形状に形成されるものである。透明板保持枠４の周縁には、後方に向かって補強周枠リブ１９９が立設され、透明板保持枠４の強度の向上を図っている。また、透明板保持枠４の前面側には、円形透視窓５の外周に沿って、上部に装飾部材としての上部装飾ユニット２２が、左側方に被覆部材としての左装飾ユニット２３が、右側方に被覆部材としての右装飾ユニット２４が、下部に前面構成部材としての下部装飾ユニット２５がそれぞれ設けられている。上部装飾ユニット２２の内部に、発光部材としての遊技効果ＬＥＤ１３，１４ａ，１４ｃ及び遊技効果ランプ１４ｂ，１４ｄ（図１２参照）が臨むように透明板保持枠４の前面側に備えられ、左装飾ユニット２３及び右装飾ユニット２４の内部に、それぞれ発光部材としての遊技効果ランプ１６ａ，１６ｂ（図１２参照）及び遊技効果ランプ１７ａ，１７ｂ（図１２参照）が臨むように透明板保持枠４の前面側に備えられている。この遊技効果ＬＥＤ１３，１４ａ，１４ｃ、遊技効果ランプ１４ｂ，１４ｄ，１６ａ，１６ｂ，１７ａ，１７ｂは、遊技状態に応じて点灯又は点滅されるものであり、特別の遊技状態の発生時や継続時を遊技者に報知すると共に遊技の雰囲気を盛り上げるものである。
【００１０】
また、上部装飾ユニット２２の左右に、遊技の進行に応じた効果音（音声なども含む）を発生するスピーカ１２ａ，１２ｂが透明板保持枠４に設けられている。なお、スピーカ１２ａ，１２ｂは、遊技球の貸出異常が生じたとき、あるいは遊技球の貸出時（例えば、１００円相当の遊技球が払い出される毎）に、その旨を報知する報知音も発生するようにしてもよい。また、左装飾ユニット２３の上部右側方に、入賞球の発生に基づいて所定個数の賞球が払い出されたことを報知する遊技関連情報発光部材としての賞球ＬＥＤ１０（なお、賞球未払出分がある場合に報知するものでもよい。具体的には、賞球未払出があるときは点灯し、賞球未払出がないときは消灯するなど）が透明板保持枠４に設けられ、右装飾ユニット２４の上部左側方に、払い出すべく賞球が不足したこと（後述する球切れスイッチ１５７により球切れを検出したとき）を報知する遊技関連情報発光部材としての球切れＬＥＤ９が透明板保持枠４に設けられている。この賞球ＬＥＤ１０及び球切れＬＥＤ９は、弾球遊技機１において行なわれる遊技演出とは別に遊技に関する情報に関連して発光する遊技関連情報発光部材であり、遊技効果ＬＥＤや遊技効果ランプとは別に設けられるものである。また、左装飾ユニット２３及び右装飾ユニット２４のそれぞれ左側及び右側には、装飾するための前面装飾部６が設けられている。更に、下部装飾ユニット２５の両側方には、遊技盤４０に貼付される証紙を視認するための透視窓１８が設けられている。なお、上部装飾ユニット２２、左装飾ユニット２３、右装飾ユニット２４及び下部装飾ユニット２５の構成については後に詳述する。
【００１１】
上記した遊技効果ＬＥＤ１３，１４ａ，１４ｃ、遊技効果ランプ１４ｂ，１４ｄ，１６ａ，１６ｂ，１７ａ，１７ｂ、球切れＬＥＤ９、賞球ＬＥＤ１０は、図１２に示すように、それぞれプリント配線基板で構成されるＬＥＤ基板１９０、ＬＥＤランプ基板１９１，１９２、ランプ基板１９３〜１９６、球切れＬＥＤ基板１９７、賞球ＬＥＤ基板１９８に実装されて枠基体３の前面側に取り付けられている。なお、遊技効果ＬＥＤ１３，１４ａ，１４ｃ、遊技効果ランプ１６ａ，１６ｂ，１７ａ，１７ｂ、球切れＬＥＤ９、賞球ＬＥＤ１０は、各プリント基板にそれぞれ複数個ずつ実装され、遊技効果ランプ１４ｂ，１４ｄは、各プリント基板にそれぞれ１個ずつ実装されている。そして、図９に示すように、各基板１９０〜１９８及びスピーカ１２ａ，１２ｂは、保持枠中継基板１００に接続され、この保持枠中継基板１００は、枠基体３の裏面下部に取り付けられる中継基板取付台３８３に止着される枠基体中継基板９９に接続された後、後述する電飾制御基板９２に接続されている。電飾制御基板９２は、後述する主基板１２０（遊技制御基板）から表示制御基板９０を経由して送信される情報信号の種類に応じて上記した遊技効果ＬＥＤ１３，１４ａ，１４ｃ、遊技効果ランプ１４ｂ，１４ｄ，１６ａ，１６ｂ，１７ａ，１７ｂ、球切れＬＥＤ９、賞球ＬＥＤ１０の表示制御及びスピーカ１２ａ，１２ｂの駆動制御をするものである。なお、保持枠中継基板１００は、透明板保持枠４の裏面上部に取り付けられている。
【００１２】
また、枠基体３には、透明板保持枠４と枠基体３とが開放したことを検出するための保持枠開放スイッチ１１１（図２０参照）及び枠基体３と外枠２とが開放したことを検出するための枠基体開放スイッチ１１２（図２１参照）が設けられており、枠基体中継基板９９を介して枠用外部端子基板１０２に接続されている。このように、保持枠開放スイッチ１１１及び枠基体開放スイッチ１１２が備えられているため、外枠２，枠基体３及び透明板保持枠４の開放状態を外部装置等によって確認することができる。なお、この保持枠開放スイッチ１１１及び枠基体開放スイッチ１１２の配線は、枠基体中継基板９９に接続された後、電飾制御基板９２に接続され、表示制御基板９０を経由して主基板１２０に接続するようにし、そして、主基板１２０からの情報信号に基づいて電飾制御基板９２によって一部又は全部のＬＥＤあるいはランプ９，１０，１３，１４ａ〜１４ｄ，１６ａ，１６ｂ，１７ａ，１７ｂを点灯制御することにより枠基体３あるいは透明板保持枠４が開放されたことを報知するようにしてもよい。
【００１３】
次に、透明板保持枠４の透視窓５の下方に位置する上皿開閉枠１１に形成された上皿１９の構成について説明すると、上皿１９は、複数の合成樹脂製部材を組合せた皿部材を固着することにより構成されている。上皿１９の開放側の上方には、球抜き操作レバー２１が設けられている。この球抜き操作レバー２１は、左右方向に移動可能に設けられ、後述するスプリング４６６の付勢力に抗して一方向に移動させることにより、上皿１９に貯留されていた球を裏面側に形成される球抜き路（図示しない）及び球抜き穴４４４（図１９参照）を流下させて下皿２７に誘導するものである。
【００１４】
上記した上皿１９について、さらに詳細に説明すると、上皿１９は、その上流側に形成される賞球払出口２０から払い出された賞球を貯留し、且つ発射位置に球を供給するものである。また、上皿１９には、弾球遊技機１に隣接して設けられるカードユニット装置３１を介して遊技球を借り受ける際に操作する操作部（残高表示部）が設けられている。この操作部は、球貸スイッチ３６と返却スイッチ３７と各表示ＬＥＤ３８，３９（いずれも図９に符号のみ記載）が実装される残高表示基板１０４（図９に符号のみ記載）からなり、該残高表示基板１０４が上皿１９の上面に臨むように設けられている。なお、表示ＬＥＤ３８は、カード残高を７セグメントＬＥＤで表示する残高表示ＬＥＤであり、表示ＬＥＤ３９は、球貸しが可能か否かを表す球貸可表示ＬＥＤである。球貸スイッチ３６は、カードユニット装置３１によって遊技球を借り受ける際に操作（球貸し操作）するものであり、返却スイッチ３７は、遊技終了の際にカードユニット装置３１のカード挿入口３４に差し込まれたカードを返却するためのものである。なお、上皿１９に設けられて上記した球貸スイッチ３６、返却スイッチ３７、及び表示ＬＥＤ３８，３９が実装される残高表示基板１０４から延びる上皿配線は、枠基体３の軸支側の下部に形成される配線通し開口３３２（図２０参照）から枠基体３の裏側に引き出され、機構板１４０の裏面下部に取り付けられるインターフェイス基板１０３を経由して後述する払出制御基板９８に接続されている。また、上皿１９の右側方には、透明板保持枠４を枠基体３に対して施錠し且つ枠基体３を外枠２に対して施錠する施錠装置１２８を操作するためのシリンダー錠２６が臨んでいる。
【００１５】
また、枠基体３の下部に取り付けられる下皿２７は、前記上皿１９から溢れた賞球であって機構板１４０の裏面下部に形成される余剰球通路７１１及び接続樋３９２を介して排出される余剰球を貯留する余剰球貯留皿（余剰球受皿）であり、その下皿２７の下方には、球抜き操作レバー２８がスライド可能に取付けられるようになっている。この球抜き操作レバー２８を操作することにより、下皿２７に貯留されていた球（賞球）を下方に球抜きして持ち運び可能な球箱に移し替えることができる。また、下皿２７の左側には、灰皿ユニット２９が設けられ、右側には、操作ハンドル３０が設けられている。操作ハンドル３０は、図３に示す打球発射装置１３０のステッピングモータ６０１の駆動を停止させるための単発発射スイッチ１０９（ストップスイッチ）及びタッチリング１１０（タッチセンサ）に接続されるタッチ配線（図示しない）が組み付けられていると共に、弾発力を調節するものである。なお、タッチ配線は、単発発射スイッチ１０９からの配線と共に束ねられる。
【００１６】
弾球遊技機１の正面構造は、概ね上記した通りであるが、図示の実施形態では、図５に示すように、弾球遊技機１にカードユニット装置３１が隣接されている。このカードユニット装置３１は、前記上皿１９の上面に設けられる前述した球貸スイッチ３６や返却スイッチ３７等の操作部を操作することにより作動されるものである。しかして、カードユニット装置３１の表面側には、使用可能状態であるか否かを表示する使用可能表示器（図示しない）と、当該カードユニット装置３１がいずれの側の弾球遊技機１に対応しているか否かを表示する連結台方向表示器（図示しない）と、記録媒体としての磁気カードを挿入するカード挿入口（図示しない）とが設けられている。そして、このように構成されるカードユニット装置３１は、独自の制御回路によって制御されるものであるが、後述するインターフェイス基板１０３とカードユニット配線３５を介して接続され、このカードユニット配線３５からインターフェイス基板１０３を経由して後述する払出制御基板９８に接続されている（図５参照）。なお、カードユニット装置３１を弾球遊技機１に内蔵しても良いし、カードユニット装置３１を付設せず、カードによる球貸し機能を有しない弾球遊技機でもよい。また、本実施形態においては、遊技者に遊技球を貸し出す（球貸しする）ためのユニット装置としてカードユニット装置３１を例示したが、例えば、紙幣等を挿入し得るユニット装置であっても良い。
【００１７】
一方、弾球遊技機１の背面には、図５及び図６に示すように、入賞球の発生に基づいて所定個数の賞球を払い出すための各種の機構を装備した機構板１４０が設けられると共に、前記操作ハンドル３０に対応する裏面には、ステッピングモータ６０１及び打球槌６００（図２５及び図２６参照）を有する打球発射装置１３０が固着され、その打球発射装置１３０の側方には、機構板１４０の余剰球通路７１１を流下する賞球を前記下皿２７に誘導する接続樋３９２（図５参照）が固着されている。更に、接続樋３９２の側方に中継基板取付台３８３が取り付けられ、外枠２に対する枠基体３の開放側裏面には、外枠２の掛止片１２９に対する枠基体３の施錠及び枠基体３に対する透明板保持枠４の施錠を行う施錠装置１２８が設けられている。
【００１８】
上記した構成のうち、打球発射装置１３０には、発射制御基板１０７（図９に符号のみ記載）が付設されており、この発射制御基板１０７によって打球発射装置１３０が駆動制御されるようになっている。発射制御基板１０７は、基板ボックス６４０内に収容されると共に、枠基体中継基板９９を介して払出制御基板９８と接続されており（図９参照）、所定の状態（例えば、カードユニット未接続、それだけでもよいが、他に下皿満タン、球切れ時などのとき）となったときに払出制御基板９８から停止信号をうけて打球の発射を行えないようになっている。
【００１９】
以上で、弾球遊技機１の全体の概略構成を説明したが、以下、弾球遊技機１を構成する要素のうち、遊技盤４０と、機構板１４０の詳細な構成について順次説明する。まず、図５，図７及び図８を参照して遊技盤４０について説明する。図７は、遊技盤４０の拡大正面図であり、図８は、遊技盤４０の拡大背面図である。
【００２０】
遊技盤４０は、枠基体３の裏面側に一体的に形成される遊技盤収納枠部３９３（図２１参照）に収容固定されるべく、ほぼ正方形状の合板により形成され、その表面には、円形うず巻き状に誘導レール４２が取り付けられ、該誘導レール４２の内側が縦長の円形状に形成された遊技領域４１とされて発射された打球が落下するものである。遊技領域４１には、図示の場合、特別可変表示装置４４、特別可変入賞球装置４８、普通可変入賞球装置５８、普通可変表示装置６３等が設けられると共に、単に打球を入賞とする入賞口、打球の流下方向，速度を変化せしめる風車又は多数の障害釘が設けられ、また、遊技領域４１の最下方には、いずれの入賞領域にも入賞しない打球が取り込まれるアウト口６９が設けられている。
【００２１】
遊技領域４１の構成をより詳細に説明すると、普通可変入賞球装置５８の左右の両側方には、それぞれ通過球検出器６２ａ，６２ｂが内蔵された通過ゲート６１ａ，６１ｂが設けられている。この通過球検出器６２ａ，６２ｂは、該通過球検出器６２ａ，６２ｂ内を通過する打球を検出すると、その検出信号に基づいて特別可変入賞球装置４８の右側方に備えられた普通可変表示装置６３で普通図柄を可変表示（具体的には上下２箇所で「○」「×」を交互に点灯させる）して表示結果を導出する（上下２箇所でそれぞれ「○」「×」のいずれか一方を点灯させる）。即ち、普通可変表示装置６３で「×」が点灯した場合には、普通可変表示装置６３がハズレの表示結果を導出したことになる。一方、普通可変表示装置６３で「○」が点灯した場合には、普通可変表示装置６３が当りの表示結果を導出したことになり、普通可変入賞球装置５８が所定時間開放される。また、普通可変表示装置６３の可変時間は、通常確率モードのときに相対的に長く（例えば、３０秒）、確率変動モードのときに相対的に短く（例えば、３〜５秒）設定されている。また、表示領域８０には、特別図柄の可変動作中に後述する始動球検出器６０によって検出された球数を記憶表示する特別図柄始動記憶表示部４６（最高４個まで記憶表示する）が表示される。なお、表示領域８０に表示される特別図柄始動記憶表示部４６においては、始動記憶数の上限値を一定の４個としているが、これに限らず、予め定めた所定条件の成立に伴って始動記憶数の上限値を変更可能（例えば、確変大当りした場合には、２０個に増加する等）に構成してもよい。また、特別図柄始動記憶表示部４６を構成する点灯部のうち消灯状態のものは輪郭「○」を表示するようにしてもいいし、輪郭「○」も何も表示しないようにしてもよい。
【００２２】
普通可変入賞球装置５８は、遊技領域８のほぼ中央に配置される特別可変表示装置４４と、アウト口６９の上方に配置される特別可変入賞球装置４８との間に配置され、ソレノイド５９によって開閉駆動される電動チューリップタイプの可変入賞球装置である。そして、普通可変入賞球装置５８には、始動球検出器６０が内蔵され、開放中又は閉成中に受け入れた入賞球を検出するようになっている。しかして、打球が始動球検出器６０によって検出されると特別可変表示装置４４が可変表示を開始する。なお、普通可変入賞球装置５８の開放時間は、通常確率モードのときに相対的に短く（例えば、０．５秒）、確率変動モードのときに相対的に長く（例えば、２秒）設定されている。また、普通可変入賞球装置５８が開放していない場合でも打球を受け入れるようになっている。
【００２３】
特別可変表示装置４４は、左・中・右の特別図柄を個々に可変表示する可変表示領域を備えた表示領域８０が形成された液晶タイプの表示器であり、その前方外周には、縦長形状の窓枠部７８が開設された装飾部材６６が設けられる。そして、特別可変表示装置４４の変動停止時における図柄の組合せが予め定めた大当り図柄の組合せ（例えば、同一の図柄が当りラインのいずれかに揃った場合）である場合に、所定の遊技価値の付与として特定遊技状態を発生して、特別可変入賞球装置４８を次に説明する所定の表示態様で開閉駆動するものである。但し、大当り図柄の組合せの一部は、確率変動図柄として設定され、この確率変動図柄で特定遊技状態となったときには、その特定遊技状態終了後における前記普通可変表示装置６３での普通図柄の変動時間の短縮や当り（当りの点灯）の出現確率や特別可変表示装置４４における大当り図柄の出現確率が高くなる確率変動モードとなるように設定されている。また、特別可変表示装置４４の下方には、普通可変表示装置６３の可変表示中に通過球検出器６２ａ，６２ｂを通過した打球数を記憶表示する普通図柄始動記憶ＬＥＤ６４（最高４個まで記憶表示する）が設けられている。
【００２４】
また、装飾部材６６の上側には、演出に用いられる扇形状の可動部材７１ａが設けられ、装飾部材６６の右側には、演出に用いられるキャラクタの意匠が施された可動部材７２が設けられている。なお、装飾部材６６の左側方には、サイド飾り７７が設けられている。可動部材７２は、キャラクタの顔部分となる可動部７３ａと、キャラクタの両腕部分となる可動部７４ａと、から構成されている。そして、各可動部材７１ａ，７２（可動部７３ａ，７４ａ）は、特別可変表示装置４４の表示態様に対応して可動するようになっている。具体的には、可動部材７１ａは、ソレノイド７１ｂの駆動によって左右に揺動し（扇を左右に振るように動き）、可動部材７２の可動部７３ａは、ソレノイド７３ｂの駆動によって左右に揺動し（キャラクタが顔を左右に振るように動き）、可動部材７２の可動部７４ａは、ソレノイド７４ｂの駆動によって左右に揺動する（キャラクタが両腕を広げたり狭めたりするように動く）。なお、可動部７４ａは、図示しない連結部材を介してソレノイド７４ｂに接続されており、これによってソレノイド７４ｂの駆動は、可動部７４ａを構成する両腕部分に個々に伝達されるようになっている。
【００２５】
また、装飾部材６６の上端から右側端（可動部材７２の右端部）に亘る部分には、可動部材７２側への遊技球の侵入を防止する規制フランジ部７５が延設されており、該規制フランジ部７５と遊技領域４１の上端から右側端を区画形成する誘導レール４２との間には、誘導通路７６が形成されている。また、遊技領域４１の右上部分を区画形成する誘導レール４２には、緩衝部材７０（例えば、ゴム等）が設けられており、該緩衝部材７０への遊技球の衝突によって誘導通路７６内を通過する遊技球の勢いを弱めるようになっている。
【００２６】
特定遊技状態となったときに駆動制御される特別可変入賞球装置４８は、ソレノイド６５によって開閉駆動される開閉板４９を有し、その開閉板４９に受け入れられた打球を検出する入賞個数検出器５２が設けられている。また、特別可変入賞球装置４８内（開閉板４９の内側）には、打球の検出（Ｖ入賞検出）に伴って特定遊技状態の継続権を成立させる特定球検出器５１が設けられており、該特定球検出器５１の上方には、一旦Ｖ入賞検出があると次に開閉板４９を開放するまでは打球が特定球検出器５１を通過しないようにするＶシャッター（図示しない）が設けられている。このＶシャッターは、ソレノイド５０によって開閉駆動が行われる。しかして、特定遊技状態となった場合には、一定時間（例えば、２８秒）が経過するまで又はその一定時間内に所定個数（例えば、１０個）の入賞球が入賞するまで開閉板２５を開放（以下、この開放を開放サイクルという）し、その開放サイクル中に受け入れられた打球が特定球検出器５１によって検出されたときに継続権が成立して、再度上記した開放サイクルが実行され、各開放サイクルにおいて継続権が成立していることを条件に最高１６回の開放サイクルを繰り返すことができるようになっている。
【００２７】
なお、本発明の特定遊技状態は、上記に限らず以下に示す▲１▼〜▲５▼の制御のうちいずれか１つの制御又は組合せた制御を実行する状態であればよい。
【００２８】
▲１▼　打球の入賞を容易にする第一の状態と、打球が入賞できない又は入賞し難い第二の状態と、に変化可能な可変入賞球装置に対して所定時間連続的又は間欠的に第一の状態にする制御
▲２▼　特定の入賞又は通過領域での打球の検出を介在させ、打球の入賞を容易にする第一の状態と、打球が入賞できない又は入賞し難い第二の状態と、に変化可能な可変入賞球装置に対して所定時間連続的又は間欠的に第一の状態にする制御
▲３▼　打球の入賞に関わらず所定数の景品球を直接排出する制御
▲４▼　有価価値を有する記憶媒体（カードやレシート等）に対して有価数を加算する制御
▲５▼　得点があることに基づいて遊技可能な弾球遊技機に対して得点を付与する制御
また、特別可変入賞球装置４８の左右両側には、それぞれ入賞球検出器５６ａ，５６ｂを内蔵する通常入賞口５４ａ，５４ｂが設けられ、該通常入賞口５４ａ，５４ｂの外側上方には、それぞれ入賞球検出器５５ａ，５５ｂを内蔵する通常入賞口５３ａ，５３ｂが設けられている。
【００２９】
上記したように、打球が入賞するすべての入賞口及び入賞装置には、入賞球を検出する入賞球検出器としての各スイッチ５２，５５ａ，５５ｂ，５６ａ，５６ｂ，６０が設けられているが、これは、これらの検出信号に基づいて所定個数の賞球を払い出すために使用されるものである。なお、入賞球を検出するが、賞球を払い出さない各スイッチ５１，６２ａ，６２ｂも設けられている。しかして、これらのスイッチ（入賞球検出器）５１，５２，５５ａ，５５ｂ，５６ａ，５６ｂ，６２ａ，６２ｂは、図９に示すように、次に説明するスイッチ中継基板９５を介して主基板１２０に接続され、主基板１２０では、これらの検出器からの検出信号により未払出数として対応した個数を加算すると共に順次払出制御基板９８に賞球個数信号を導出する。そして、払出制御基板９８は、その賞球個数信号に基づいて所定個数の賞球を払い出すように後述する球払出装置１５４を駆動制御するようになっている。なお、スイッチ（特定球検出器）５１は、継続権の成立を検出する機能を兼用しており、スイッチ（入賞球個数検出器）５２は、開閉板４９の開放を規制するための計数機能を兼用している。また、スイッチ（始動球検出器）６０は、特別可変表示装置４４の可変表示をさせるための始動機能を兼用している。
【００３０】
また、始動球検出器６０は、図９に示すように、スイッチ中継基板９５を介することなく直接主基板１２０と接続されている。（ただし、他の入賞球検出器５１，５２，５５ａ，５５ｂ，５６ａ，５６ｂ，６２ａ，６２ｂによって導出される賞球個数信号は、相対的に多い個数、例えば、１３個や１５個であるのに対し、始動球検出器６０に基づく賞球個数信号は、相対的に少ない個数、例えば、５個や７個である）これは、始動球検出器６０からの配線を直接主基板１２０に接続することにより、その途中に不正な回路基板を組み込んだ配線（ぶら下がり基板等と称されている）が接続されているか否かの発見を容易にするためである。また、始動球検出器６０と主基板１２０とを直接接続する配線は、他の配線の色と明らかに異なる色（本実施形態の場合には、ピンクと黄の蛍光色）としたので、この点からも始動球検出器６０からの配線に不正が行われているか否かを見分け易い。さらに、その始動球検出器６０と主基板１２０とを接続する配線を遊技機裏面側から見て視認できるようにしているので、より不正を発見し易い。
【００３１】
また、遊技盤４０には、装飾効果を高めるための装飾ＬＥＤが複数備えられている。具体的には、可動部材７１ａ部分に装飾ＬＥＤ７７０が、装飾部材６６の右斜め上方に装飾ＬＥＤ７７１が、可動部材７２の上方に装飾ＬＥＤ７７２が、可動部材７２の右側方に装飾ＬＥＤ７７３が、可動部材７１ａの両側方下方に装飾ＬＥＤ７７４が、特別可変表示装置４４の両側方に装飾ＬＥＤ７７５が、サイド飾り７７部分に装飾ＬＥＤ７７６が、通常入賞口５４ａ，５４ｂの下方に装飾ＬＥＤ７７７が、それぞれ装飾ＬＥＤ基板７７０ａ〜７７７ａ（図９に符号のみ記載）に実装されて備えられている。
【００３２】
遊技盤４０には、上記したようにスイッチやソレノイド、あるいは装飾ランプや装飾ＬＥＤ等が多数設けられるが、これらは、電飾制御基板９２やあるいはスイッチ中継基板９５を介して主基板１２０に接続されるようになっている。即ち、図９に示すように、遊技盤４０に設けられる各スイッチ５１，５２，５５ａ，５５ｂ，５６ａ，５６ｂ，６２ａ，６２ｂ及び各ソレノイド５０，５９，６５は、スイッチ中継基板９５を介して主基板１２０に接続され、遊技盤４０に設けられる装飾ＬＥＤ７７０〜７７７（を実装している装飾ＬＥＤ基板７７０ａ〜７７７ａ）、普通図柄可変表示装置６３及びソレノイド７１ｂ，７３ｂ，７４ｂは、盤用電飾中継基板９３を介して電飾制御基板９２に接続されている。
【００３３】
一方、遊技盤４０の裏面には、図８に示すように、遊技盤４０の裏面側の中央部分には、裏面カバー体８１が取り付けられている。裏面カバー体８１の中央には、特別可変表示装置４４が臨む開口（図示しない）が形成されており、この裏面カバー体８１に対して、特別可変表示装置４４の裏面が突出して設けられている。また、裏面カバー体８１の右側方は、その端部が裏面側に向けて延設され、配線を通すための配線通し部８３として形成されている。この特別可変表示装置４４の裏面部分の右側には、音声制御基板９４が音声制御基板ボックス１２５内に収容して取り付けられている。この音声制御基板９４は、前記スピーカ１２ａ，１２ｂを駆動制御するものであり、主基板１２０からの情報信号に応じて遊技内容に対応した効果音を発生させるものである。また、音声制御基板９４には、音量を切り替える音量切替スイッチ１２７が設けられている。また、音声制御基板９４の下方には、後述する表示制御基板９０から特別可変表示装置４４へ送信される信号を中継するための表示中継基盤９１が備えられている。
【００３４】
また、特別可変表示装置４４の裏面部分の左側には、盤用電飾中継基板９３が取り付けられている。この盤用電飾中継基板９３は、前述したように遊技盤４０に設けられる装飾ＬＥＤ基板４５ａ、可変表示装置６３、ソレノイド７１ｂ，７３ｂ，７４ｂと電飾制御基板９２との接続を中継するものである。また、盤用電飾中継基板９３の下方には、スイッチ中継基板９５が取り付けられている。このスイッチ中継基板９５は、前述したように、遊技盤４０に設けられる各スイッチ５１，５２，５５ａ，５５ｂ，５６ａ，５６ｂ，６２ａ，６２ｂ及び各ソレノイド５０，５９，６５と主基板１２０との接続を中継するものである。また、盤用電飾中継基板９３の左側方には、裏面カバー体８１上に盤用外部端子基板９６が取り付けられている。この盤用外部端子基板９６は、弾球遊技機１の営業管理上必要な遊技情報（例えば、大当り遊技状態中である旨を報知する大当り１情報、確率変動図柄で大当り遊技状態となり、その大当り状態中及びその大当りによる確率変動中である旨を報知する大当り２情報（大当り中と確率変動中に出力され続ける信号）、確率変動図柄による大当り状態終了後の確率変動中である旨を報知する確率変動情報、始動球検出器をＯＮした打球の数を報知する始動口情報、特別可変表示装置の可変動作回数を報知する図柄確定回数１情報、普通可変表示装置の可変動作回数を報知する図柄確定回数２情報、及び普通可変入賞球装置の開閉回数を報知する役物回数２情報等）を遊技場に設置される管理コンピュータに出力するための外部接続端子（図示しない）を有し、これらの情報が主基板１２０から与えられるようになっている。更に、どの図柄で大当りしたか、どの図柄で停止したか等の情報を出力するようにしてもよい。
【００３５】
また、裏面カバー体８１の下方には、遊技盤４０に設けられる各入賞口から入賞した入賞球を誘導する入賞球誘導路（図示しない）がその前面に形成される入賞球誘導カバー体８２が取り付けられている。入賞球カバー体８２には、表示制御基板９０及び電飾制御基板９２が表示制御基板ボックス１２４内に収容して取り付けられている。表示制御基板９０は、特別可変表示装置４４の可変表示動作を主基板１２０からの情報信号の種類に応じて駆動制御するものであり、電飾制御基板９２との情報信号のやり取りを行なうものである。また、電飾制御基板９２は、図９に示すように、遊技盤４０に設けられる装飾ＬＥＤ、普通可変表示装置６３、ソレノイド、及び透明板保持枠４に設けられる遊技効果ＬＥＤや遊技効果ランプ等を主基板１２０からの情報信号に応じて一括して駆動制御するものである。
【００３６】
以上、遊技盤４０の構成について詳細に説明してきたが、上記のように構成される遊技盤４０は、図２１に示すように、枠基体３の裏面側に形成される遊技盤収納枠部３９３に収納固定されるようになっている。遊技盤収納枠部３９３は、周知のように、ほぼ正方形状に構成される遊技盤４０を収容するように枠基体３の裏面に段差状に形成され、収容した遊技盤４０の裏面を押圧固定するための遊技盤係止レバー３６６が遊技盤収納枠部３９３の左側方に２箇所及び右側方に１箇所に取り付けられている。なお、遊技盤係止レバー３６６の取付位置は、このような位置に限られるものではなく、適宜箇所に設けられるものであればよい。また、遊技盤収納枠部３９３の下方部は、平板状の支持板となって遊技盤４０の下辺を載置するようになっており、その支持板のほぼ中央にアウト球を誘導するアウト球連通口３３３が形成されている。また、遊技盤４０を遊技盤係止レバー３６６によって収容固定した状態においては、その裏面から機構板１４０が被覆されることとなるが、その機構板１４０は、遊技盤収納枠部３９３の一側側面上下に固定されるヒンジ金具３１４の上に突設される軸ピン３１５に機構板１４０の一側に固定される補強ヒンジ部材１７６の掛止穴１７７ａ（図１１参照）を係止することにより、開閉自在に軸支され、また、遊技盤収納枠部３９３の適宜位置に植立される機構板固定用突起３６４と機構板１４０に設けられる機構板係止レバー１６７とを係合させることにより、機構板１４０を閉じた状態で保持することができるようになっている。なお、機構板１４０は、枠基体３に対して固定されて開閉できないものであってもよい。
【００３７】
次に、弾球遊技機１の背面に設けられる機構板１４０の構成について図１０及び図１１を参照して説明する。図１０は、機構板１４０の背面図であり、図１１は、機構板１４０の分解斜視図である。図１０及び図１１において、機構板１４０は、主として賞球を貯留する賞球タンク１４７と該賞球タンク１４７に貯留された賞球を下流側に整列しながら誘導する球整列レール部材１４８及びカーブレール部材１５０とが設けられる上部構成部と、カーブレール部材１５０からの球を誘導する球通路部材１５６ａ，１５６ｂと入賞に基づく賞球を払い出す球払出装置１５４（本実施形態では、貸球も払い出すが、賞球のみ払い出すものでもよい）とが設けられる中間構成部と、主として遊技盤４０に打ち込まれた入賞球を含む打球を処理するための構成、及び賞球を上皿１９及び下皿２７に導くための構成が設けられる下部構成部と、が開口窓１４６を構成するように機構板主体１４１上に一体的に形成されている。機構板主体１４１は、機構板主体１４１のそれぞれ上部及び右側部（弾球遊技機１の背面側から見て），左側部（弾球遊技機１の背面側から見て），及び下部をそれぞれ構成する上部板１４２，左側板１４３及び下部板１４４を取付ネジ１４１ａによって連結することにより構成されている。
【００３８】
また、機構板１４０の強度を高めるために開口窓１４６の軸支側に上部構成部と下部構成部とに亘って取り付けられる補強ヒンジ部材１７６が取付ネジ１７６ａによって取り付けられている。補強ヒンジ部材１７６は、金属からなると共に、その上下両端に折曲形成された取付片１７７の掛止穴１７７ａにヒンジ金具３１４の軸ピン３１５が係止されることで、機構板１４０を枠基体３に対して開閉自在に軸支するようになっている。
【００３９】
そこで、以下、機構板１４０の構成について、各構成部毎に説明する。まず、上部構成部には、多量の賞球を貯留する賞球タンク１４７と、該賞球タンク１４７から供給される賞球を仕切壁１７８によって複数列（本実施形態の場合、２列）に整列して流下させる球整列レール部材１４８と、該球整列レール部材１４８によって誘導された賞球を後述する球払出装置１５４に向けて左右方向から上下方向へ方向転換するカーブレール部材１５０と、該カーブレール部材１５０の上方に設けられた枠用外部端子基板１０２がそれぞれ上部板１４２の所定の位置に設けられている。
【００４０】
賞球タンク１４７は、その左右両側に突設された取付片１６４によって上部板１４２の上端側に突設された取付ボス１７９に取付ネジ１６４ａで取り付けられるようになっている。また、賞球タンク１４７は、上面が開放したボックス状に形成されると共に、傾斜して底面１６５が形成されている。賞球タンク１４７の下流側に配置される球整列レール部材１４８は、上部構成部の一端から他端に向けて傾斜状に取付ボス１８０に取付ネジ１４８ａで取り付けられ、その内部中央に仕切壁１７８が立設されている。この仕切壁１７８は、賞球タンク１４７の落下口から流出した賞球を下流に向かうにしたがって確実に２列に整列させるために徐々に高く形成されている。
【００４１】
また、球整列レール部材１４８の下流側上部には、球ならし部材１４９が取付ボス１８１を支点として取付ネジ１４９ａによって揺動自在に垂下され、球整列レール部材１４８上を上下２段となって流下する球を球ならし部材１４９に埋設される重錘（符号なし）の作用によって１段とするようになっている。なお、球整列レール部材１４８の下流側には、カーブレール部材１５０が接続されるが、このカーブレール部材１５０は、上部構成部と中間構成部とに跨がって構成されるので、次の中間構成部の説明箇所で詳細に説明する。なお、球整列レール部材１４８の下流側の上部で機構板主体１４１に突設される球ならし片１６１は、球ならしするためのものである。
【００４２】
上記した球整列レール部材１４８の下流側上部には、外部との信号線が接続される外部接続端子１１８を有する枠用外部端子基板１０２が取付ボス１８２に取付ネジ１０２ａ止めして設けられる。なお、図示しないが枠用外部端子基板１０２の取付部分は凹んでおり、ハンダ面の突出部分が接触しないようにしている。枠用外部端子基板１０２に設けられる外部接続端子１１８としては、外部（例えば、管理コンピュータ）と弾球遊技機１との間の信号線を接続する球切れ情報出力端子と球貸情報出力端子と賞球情報出力端子があり、枠用外部端子基板１０２には、更に、枠基体中継基板９９及び機構板中継基板１０１が個々に接続されるコネクタが設けられている。また、枠用外部端子基板１０２の近傍となる機構板１４０の裏面には、電源コード１１７を束ねておくためのフック１６０が形成されている。これにより、運搬時における電源コード１１７の破損を防止することができ、また、電源コード１１７が弾球遊技機１の裏側でぶら下がる等して、各制御基板にノイズがのることを防止することができる。また、枠用外部端子基板１０２の下方には、電源コード１１７を機構板主体１４１の前面側から裏面側に導くための配線通し開口１６６が開設されており、枠用外部端子基板１０２の側方には、枠用外部端子基板１０２が接続される外部の情報を記す外部情報シール１８３ａ，１８３ｂが貼付して設けられている。
【００４３】
上部板１４２に位置する上部構成部には、上記した構成以外に、その開放端部及び枠用外部端子基板１０２の上部に対応する位置の取付ボス１８４に機構板係止レバー１６７が一端を取付ネジ１６７ａによって回動自在に支持されて設けられている。機構板係止レバー１６７には、前記遊技盤収納枠部３９３の所定の位置に植立固定される機構板固定用突起３６４の先端部と係合する溝が形成されており、この溝と係止ピンとの係合を解除するように回動させることにより、機構板１４０の遊技盤収納枠部３９３への固定状態を解除することができる。なお、機構板係止レバー１６７は、上部構成部の開放端部及び上部構成部の開閉軸側上部に設けられているため、機構板１４０の遊技盤収納枠部３９３への固定状態を堅固に安定化させることができるようになっている。なお、機構板係止レバー１６７は、下部構成部の開放端部にもう一つあり、計３つ設けられている。
【００４４】
次に、上部板１４２に位置する中間構成部の構成について説明する。中間構成部は、その側方に垂直状に突設される中間部補強リブ１８５ａ，１８５ｂが形成されている。また、中間構成部の表面側には、通路カバー１８６が取付ネジ１８６ａによって取り付けられることにより、球が通過する球抜き通路（図示しない）が形成されている。この球抜き通路は、後述する基体枠球抜き通路３９４（図２１参照）及び球抜き通路下流部７１２と連通しており、カーブレール部材１５０より上流側の球整列レール部材１４８及び賞球タンク１４７に待機する球を誘導して弾球遊技機１の外側（弾球遊技機１を設置する島の回収樋）に導くものである。この球抜き通路への球の誘導は、カーブレール部材１５０に設けられる球抜きストッパー１５１を解除することにより行なわれる。この球抜きストッパー１５１は、取付ボス７００を支点として取付ネジ１５１ａによって揺動自在に取り付けられている。また、取付ボス７００の斜め下方には、球抜き通路内へ球を導入するための導入口７０１が形成されている。しかして、カーブレール部材１５０のガイド穴７０２に沿って球抜きストッパー１５１を上方に移動させることにより、球が導入口７０１から球抜き通路に導入されることとなる。
【００４５】
上記した球抜きの構造について更に詳述すると、カーブレール部材１５０内には、球抜弁（図示しない）が取り付けられており、その上端部分が軸支部として回動自在に取り付けられている。一方、球抜きストッパー１５１は、その下端部分が上記したように、取付ボス７００を支点として回動自在に取り付けられている。そして、球抜きストッパー１５１を操作しない通常時（球抜きストッパー１５１が横方向に倒れた状態）においては、球抜きストッパー１５１の先端部が球抜弁の側壁部分を押圧して球抜弁がロック状態となり、球払出装置１５４側に誘導されるようになっている。一方、球抜きストッパー１５１を操作したとき（球抜きストッパー１５１が起立した状態）には、球抜きストッパー１５１による球抜弁の押圧状態を解除することで、球抜弁のロック状態が解除され、球整列レール部材１４８からの遊技球の自重によって球抜弁が押しやられる。これにより、流路は、球抜き通路に切り換えられ、遊技球は導入口７０１から球抜き通路側に流れるようになっている。
【００４６】
また、中間構成部の上部には、上記した球整列レール部材１４８の下流側に接続されるカーブレール部材１５０が取付ボス７０３に取付ネジ１５０ａによって取り付けられている。このカーブレール部材１５０は、球整列レール部材１４８から流下する球を前記球抜き通路あるいは、下述する球通路部材１５６ａ，１５６ｂのいずれかに分岐するものである。カーブレール部材１５０の下流側には、球通路部材１５６ａ，１５６ｂと球払出装置１５４とが配置されている。球通路部材１５６ｂは、機構板１４０の裏面側（枠基体３側）から取付ネジ（図示しない）によって取り付けられる一方、球通路部材１５６ａは、機構板１４０の前面側から取付ネジ７０４によって取付ボス７０５に取り付けられ、該球通路部材１５６ａ，１５６ｂ間が球通路を構成する。具体的には、球通路部材１５６ａ，１５６ｂ間の球通路は、カーブレール部材１５０によって前後方向（機構板１００の背面から見て）２列に流下される球を左右方向（同じく機構板１００の背面から見て）２列に流下するように方向転換するものである。なお、球通路部材１５６ｂは、頻繁に球が通過して摩耗し易いものであるため、交換できるように取付ネジにより上部板１４２に取り付けられている。また、カーブレール部材１５０下部には、球切れスイッチ１５７が係止爪７０８によって着脱自在に装着されており、この係止爪７０８の係止を変形させて解除することにより、球切れスイッチ１５７を取り外しできる。この球切れスイッチ１５７は、機構板中継基板１０１に接続されるようになっている（図９参照）。そして、球切れスイッチ１５７は、機構板中継基板１０１を介して払出制御基板９８及び主基板１２０に入力され、球を検出しなくなったときには、後に説明する球払出装置１５４の払出モータ１１５の作動を停止して賞球の払出を不能動化させるようになっている。（主基板１２０からの払出停止コマンドを払出制御基板９８が受信することで、払出制御基板９８が払出停止制御を行う。）
また、球通路部材１５６ａの下部には、取付ネジ１５９ａによって球ストッパー部材１５９が取り付けられている。この球ストッパー部材１５９は、金属の打ち抜き加工で形成されて下端部を円弧状に形成した当接部となっており、しかもその上部前方に２つのストッパー片（図示しない）が突設されている。当接部は、球払出装置１５４のケース１５５と当接する部分であり、ストッパー片は、球通路部材１５６ａ，１５６ｂ間の球通路の下方部に対応して球通路部材１５６ａに穿設される挿通穴（図示しない）に挿入し得るものである。しかして、球払出装置１５４を装着した状態では、球払出装置１５４のケース１５５と球ストッパー部材１５９の当接部とが当接して球ストッパー部材１５９の下端部が後方に向かって弾性変形するので、ストッパー片は、挿通穴から退避して球通路部材１５６ａ，１５６ｂ間の球通路を流下する球を球払出装置１５４に供給するようになっているが、球払出装置１５４を取り外したときには、球ストッパー部材１５９が元の形状に戻るので、ストッパー片が挿通穴に挿入して自動的に球通路部材１５６ａ，１５６ｂ間の球通路を閉塞して球を流下させないようになっている。このように、球ストッパー部材１５９を設けることにより、球払出装置１５４を交換する必要が生じた場合でも、球払出装置１５４より上の球が零れ出ることがないので、球抜き操作を行う必要がない。また、カーブレール部材１５０の下端部分には、後述する払出装置カバー１６８の係合穴１６９と係合する係止爪７０６が設けられている。また、係止爪７０６の下方両側方には、払出装置カバー１６８の軸支穴７０７が挿通される軸支突起１６２が突設されている。
【００４７】
上記した球通路部材１５６ａ，１５６ｂの下方に取着される球払出装置１５４は、ほぼ直方体形状をなすケース１５５の内部に収容されて機構板主体１４１に着脱自在に取り付けられるようになっている。球払出装置１５４の構造について図９及び図１１を参照して簡単に説明すると、ケース１５５内には、前記球通路部材１５６ａ，１５６ｂ間の左右２列の球通路と個々に連通する２条の通路部１５５ａが形成され、その通路部１５５ａの経路途中には、球払出装置１５４内（通路部１５５ａ）の球を１個づつ区切って通路部１５５ａ下端の球排出口から排出するスプロケット（図示しない）が設けられている。なお、スプロケットは、前記払出モータ１１５の駆動によって回転するようになっている。また、球排出口は、１つの排出口からなり、球払出装置１５４から排出する球を貸球として払い出す貸球排出口と景品球として払い出す景品球排出口とを兼用した形で構成されている。また、前後の排出口には、それぞれの排出口から排出される球数（貸球数及び賞球数）を検出するための払出個数カウントスイッチ１１６が設けられている。また、球の払出動作を確実に行うために払出モータ１１５の停止位置（正確には、回転部材としてのスプロケットの停止位置）を検出するモータ位置センサが備えられたセンサ基板１１４が設けられている。
【００４８】
また、ケース１５５には、上記した払出モータ１１５、払出個数カウントスイッチ１１６、センサ基板１１４が内蔵されていると共にそれらが接続される中継基板１１３も内蔵されている。なお、本実施形態における球払出装置１５４は、２条を１条に変換するようにしているが、２条（複数条）を２条（複数条）のまま払い出すようにしてもよいし、２条を１条にした後に再び２条とするものでもよい。但し、本実施形態では、２条で受けるのは、払出スピードを向上するのが目的で、それを１条にするのは、カウントスイッチの数を少なくしてコストダウンを図るためである。この中継基板１１３は、図９に示すように、払出制御基板９８を介して主基板１２０に接続されている。具体的には、球払出装置１５４から主基板１２０に入力されるのは、払出個数カウントスイッチ１１６の信号だけである。
【００４９】
なお、上記した球通路部材１５６ａ，１５６ｂ及び球払出装置１５４は、払出装置カバー１６８によって被覆されるようになっている。払出装置カバー１６８は、その上端両側に穿設された軸支穴７０７がカーブレール部材１５０の軸支突起１６２に回動自在に軸支して取り付けられ、払出装置カバー１６８の上方には、前記係止爪７０６との係合によって払出装置カバー１６８の開放状態を保持する係合穴１６９が形成されている。また、払出装置カバー１６８の下側外壁面には、球払出装置１５４のケース１５５の取り外し作業における説明事項を記したシール１８７が貼付されている。
【００５０】
以上で、機構板１４０の中間構成部についての説明を終了し、次に、機構板１４０の下部構成部（下部板１４４）について説明すると、下部構成部は、図１１に示すように、背面から見てその右側部分に払出制御基板９８を収容する払出制御基板ボックス１２３が取り付けられ、背面から見てその左側部分に電源ユニット基板９７を収容する電源基板ボックス１２２が取り付けられている。払出制御基板ボックス１２３が取り付けられる下部構成部の前面側（機構板主体１４１の遊技盤４０と対面する内側）には、入賞球を誘導する入賞球誘導通路（図示しない）とアウト球を誘導するアウト球通路（図示しない）とが形成され、下部構成部の背面側（機構板主体１４１の外側）には、賞球通路７０９、連絡通路７１０、余剰球通路７１１が形成されると共に球抜き通路下流部７１２も形成されている。なお、払出制御基板ボックス１２３には、払出制御基板９８に備えられたエラー解除スイッチ（図示しない）のエラー内容を記したエラー表示シール７３５が貼付され、電源基板ボックス１２２には、電源ユニット基板９７に備えられる電源部品の名称を記した部品名称シール及びバックアップのクリア方法の手順を記した手順シール７３７が貼付されている。
【００５１】
そこで、まず、機構板１４０の下部構成部の背面から見て右側部分（以下、右側下部構成部という）の構成について説明する。機構板１４０の右側下部構成部の一側上部に賞球通路７０９が形成され、該賞球通路７０９の下端に上皿連通口７１３が形成されている。この上皿連通口７１３は、弾球遊技機１の前面に設けられる上皿１９に賞球を導くものである。上皿連通口７１３の一側側方には、連絡通路７１０が形成され、その連絡通路７１０の下流に余剰球通路７１１が接続されている。
【００５２】
しかして、入賞に基づく賞球が多数払い出されて上皿１９が賞球で満杯となり、遂には上皿連通口７１３に到達してさらに賞球が払出続けられたときには、賞球は、連絡通路７１０を介して余剰球通路７１１に導かれ、その後、前記接続樋３９２を介して下皿２７に排出される。そして、さらに賞球が払出続けられたときには、下皿２７も満杯になるが、余剰球通路７１１の一側側壁に設けられた満タン検知レバー７１４部分にまで到達すると、満タン検知レバー７１４が押圧されて満タンスイッチ１５８がＯＮされ、球払出装置１５４の払出モータ１１５の駆動を停止して賞球及び貸球の払出動作を不能動化する。（主基板１２０からの払出停止コマンドを払出制御基板９８が受信することで、払出制御基板９８が払出停止制御を行う。）このとき、打球発射装置１３０のステッピングモータ６０１の駆動も停止するが、停止しないものであってもよい。満タン検知レバー７１４は、その上端が軸突起に軸支されて揺動自在に設けられ、その満タン検知レバー７１４の後方に満タンスイッチ１５８のアクチュエータを位置させて満タン検知レバー７１４の揺動動作を検出するものである。満タンスイッチ１５８は、その上部の止着穴７１５によって機構板１４０側の取付ボス７１６に取付ネジ１５８ａ止めされる。
【００５３】
また、上記した賞球通路７０９、球抜き通路下流部７１２、及び余剰球通路７１１の後面は、機構板主体１４１の取付ボス７１７に取付ネジ１７０ａ止めされる下部通路カバー体１７０によって覆われている。そして、満タンスイッチ１５８は、下部通路カバー体１７０に形成される開口１７１から挿入されて所定の位置に取付ネジ１５８ａで固定し得るようになっている。
【００５４】
下部通路カバー体１７０の配線を通すための開口１７１の側方には、機構板中継基板１０１を取り付ける基板取付部７１８が、機構板中継基板１０１を囲むように形成されており、機構板中継基板１０１は、この基板取付部７１８の内側に突設された取付ボス７１９に取付ネジ１０１ａによって取り付けられる。基板取付部７１８の側方には、インターフェイス基板１０３を取り付ける基板取付部７２０が、インターフェイス基板１０３を囲むように形成されており、インターフェイス基板１０３は、この基板取付部７２０の内側に突設された取付ボス７２２に取付ネジ１０３ａによって取り付けられている。この基板取付部７２０の下部は、インターフェイス基板１０３上のコネクタが臨むように形成されると共に、その一側側方には、インターフェイス基板１０３に実装されるヒューズが臨むヒューズ穴７２１ａ及びインターフェイス基板１０３に実装されるコネクタの受け口であるコネクタ穴７２１ｂが形成されている。この基板取付部７２０の上部には、段差部が形成されており、この段差部の前面側には、取付ネジ７２３ａによって誘導突起部材７２３が取り付けられている。この誘導突起部材７２３は、前記上皿連通口７１３に臨むものである。
【００５５】
また、下部通路カバー体１７０の右側方には、取付ベース７２７を取り付けるための取付ボス７２５と、取付ベース７３０を取り付けるための取付ボス７２４と、が突設されている。取付ベース７２７は、取付ネジ７２７ａによって取付ボス７２５に取り付けられ、取付ベース７３０は、取付ネジ７３０ａによって取付ボス７２４に取り付けられる。なお、取付ベース７３０は、下部板１４４に突設された取付ボス７３３にも取り付けられる。
【００５６】
取付ベース７２７には、払出制御基板ボックス１２３に形成された係合片（図示しない）が係合するスライド穴７２８と、払出制御基板ボックス１２３を固定するための係止片７２９が形成されている。しかして、払出制御基板ボックス１２３の係合片をスライド穴７２８に挿入した後、払出制御基板ボックス１２３を左側にスライドさせることにより、係止片７２９が払出制御基板ボックス１２３に形成された係止穴（図示しない）に係止され、これによって、払出制御基板ボックス１２３が下部通路カバー体１７０の背面側、即ち、機構板１４０の下部一側に止着される。なお、係止片７２９を撓ませることにより、払出制御基板ボックス１２３を取り外すことができる。
【００５７】
また、取付ベース７３０には、主基板１２０を収納する主基板ボックス１２１（図５参照）に形成された係合片（図示しない）が係合するスライド穴７３１と、主基板ボックス１２１を固定するための係止片７３２が形成されている。しかして、主基板ボックス１２１の係合片をスライド穴７３１に挿入した後、主基板ボックス１２１を右側にスライドさせることにより、係止片７３２が主基板ボックス１２１に形成された係止穴（図示しない）に係止され、これによって、主基板ボックス１２１が下部通路カバー体１７０の背面側、即ち、機構板１４０の下部一側に止着される（図５参照）。この主基板１２１は、後述する電源基板ボックス１２２の背面側に位置することとなる。なお、係止片７３２を撓ませることにより、主基板ボックス１２１を取り外すことができる。また、取付ベース７３０の一側には、後面側に突出してフランジが形成されており、その先端に錠取付穴７４５が穿設されている。この錠取付穴７４５は、取付ベース７３０に主基板ボックス１２１を固定した際、主基板ボックス１２１の一側方に形成されたフランジに穿設された錠取付穴１２１ａ（図５参照）とその位置が合うようになっている。これは、それぞれの錠取付穴１２１ａ，７４５に南京錠等の錠前をかけることにより主基板ボックス１２１が取付ベースから取り外せないようにするためのものであり、主基板１２１に対する不正行為を防止するものである。
【００５８】
一方、右側下部構成部の機構板主体１４１の前面側（遊技盤４０に当接する側）には、入賞球を誘導する入賞球誘導通路（図示しない）とアウト球を誘導するアウト球通路（図示しない）とが形成されている。入賞球誘導通路の上方は、入賞球落下入口７４０となっており、前記入賞球誘導カバー体８２から放出される入賞球を受け入れるようになっており、その受け入れた入賞球を入賞球誘導通路が一側側方に向かって誘導し、機構板主体１４１に形成された連通口（図示しない）から機構板主体１４１の背面側に導き、さらにその連通口から前記球抜き通路下流部７１２に導くようになっている。前記球抜き通路下流部７１２は、右側下部構成部の外周縁に沿って逆Ｌ字状に屈曲され、下部構成部のほぼ中央背面側に形成される前記余剰球通路７１１の右側方に形成される合流排出通路７４１に最終的に合流するようになっている。したがって、入賞球落下入口７４０から受け入れられた入賞球は、入賞球誘導通路、連通口、球抜き通路下流部７１２、及び合流排出通路７４１を介して弾球遊技機１の外部に誘導されるようになっている。なお、入賞球誘導通路は、その背面を機構板主体１４１で構成しているが、その前面は、枠基体３に取り付けられた後述する閉塞板３８６で構成されている。
【００５９】
また、アウト球通路は、前記入賞球落下入口７４０の側方に形成される凹部７４２の下方に入賞球誘導通路と上下方向に重複するように形成され、その流下端の機構板主体１４１に連通口が開設されて下部板１４４の背面側に形成される合流排出通路７４１に連通するようになっている。なお、上記した凹部７４２は、遊技盤４０の下部を裏面から固定するために遊技盤収納枠部３９３の下部ほぼ中央に取り付けられる遊技盤係止レバー３６６を収容するためのものである。
【００６０】
しかして、遊技盤４０のアウト口６９から取り込まれたアウト球が遊技盤４０の裏面に刻設されるアウト球排出通路（図示しない）に導かれ、さらに遊技盤収納枠部３９３の下部の板状部分に形成されるアウト球連通口３３３（図２１参照）を経由して上記したアウト球通路に導かれ、連通口、合流排出通路７４１を通って弾球遊技機１の外部に導かれる。つまり、上記した合流排出通路７４１は、球抜き通路下流部７１２からの抜き球、アウト球通路からのアウト球、入賞球誘導通路からの入賞球をすべて合流して弾球遊技機１の外部に誘導するものである。なお、右側下部構成部の下部板１４４の前面側には、配線を押えるための配線押え７４４が取付ネジ７４４ａ止めされている。また、左側板１４３にも、同様に配線掛止部材７３９（俗にワイヤーラグと謂われている）が取付ネジ７３９ａ止めされている。
【００６１】
一方、下部構成部のうち、上記した余剰球通路７１１より背面から見て左側部分（以下、左側下部構成部という）は、電源基板ボックス１２２を取り付けるための空間として利用されている。より具体的に説明すると、電源基板ボックス１２２を取り付ける領域は、やや前面側に向かって凹状に形成されている。即ち、電源基板ボックス１２２の取付空間の後面壁を構成する後面壁７４３は、右側下部構成部の機構板主体１４１よりもやや前面側に奥まった位置（遊技盤４０に近づく位置）となっており、その後面壁７４３の四隅には、スライド穴７２６が形成されると共に、右側方には、係止変７３４が形成されている。なお、後面壁７４３の下部は、背面側に突出して形成され、その先端には、前記取付ボス７３３が形成されている。
【００６２】
しかして、上記のように構成される取付空間に電源基板ボックス１２２を取り付けるには、電源基板ボックス１２２の下部両側に突設される係合突起（図示しない）をスライド穴７２６に差し込んだ後に、電源基板ボックス１２２を左側にスライドさせることにより、係止片７３４が電源基板ボックス１２２に係止され、これによって、電源基板ボックス１２２が後面壁７４３、即ち、機構板１４０の下部一側に止着される。なお、係止片７３４を撓ませることにより、電源基板ボックス１２２を取り外すことができる。そして、この場合、電源基板ボックス１２２が下部構成部の機構板主体１４１よりも前面側（遊技盤４０に近い側）に奥まって取り付けられているので、電源基板ボックス１２２の背面側への突出量を抑制することができる。特に、電源ユニット基板９７は、他の制御基板と比べて高さ（厚み）を有するヒートシンクや大型のコンデンサが実装されるので、その電源ユニット基板９７を収容する電源基板ボックス１２２も厚みがあるが、このような厚みのある電源基板ボックス１２２を取り付けても背面側の突出量を抑制することができるものである。
【００６３】
ところで、電源基板ボックス１２２は、内部に複数の電圧の異なる電源を生成する電源ユニット基板９７を収容するものである。電源ユニット基板９７には、図２に示すように、弾球遊技機１全体の電源をＯＮ・ＯＦＦするための電源スイッチ１３１、弾球遊技機１のすべての動作をクリアするためのクリアスイッチ１３２及び管ヒューズ１３３が実装されている。また、電源ユニット基板９７は、電源コード１１７が接続される電源コネクタが実装されている。電源コネクタに接続される電源コード１１７は、前記枠用外部端子基板１０２の側方に形成される配線通し開口１６６から機構板主体１４１の前面側に形成される配線通し１８９及び配線通し１８８に沿って左側板１４３側を通って機構板１４０の下部まで引き通され、機構板主体１４１に設けられる開口及び開口１７１から機構板主体１４１の裏側に引き出されて電源コネクタに接続される。電源コード１１７によって供給される電圧は、ＡＣ２４Ｖの電圧であり、電源ユニット基板９７で生成される複数の電圧は、ＤＣ３０Ｖ、ＤＣ２１Ｖ、ＤＣ１２Ｖ、ＤＣ５Ｖの４種類である。（但し、他の基板に対してＡＣ２４Ｖも供給する。）また、電源ユニット基板９７は、主基板１２０及び払出制御基板９８の各ＣＰＵに駆動電源が供給されていない間、各基板１２０，９８のＲＡＭの記憶内容をバックアップ（保持）するために各基板１２０，９８にバックアップ電源を供給するようになっている。なお、電源ユニット基板９７から電源断信号が出力されることによって主基板１２０は、バックアップをするための処理を行うようになっている。なお、払出制御基板９８にもバックアップする処理を行ってもよい。
【００６４】
ところで、以上説明した機構板１４０（機構板主体１４１）は、帯電防止持続性樹脂である透明なＡＢＳ樹脂で成形されている。従来では、乾燥した状態において遊技球が循環使用されているうちに、機構板に静電気が帯電し、その静電気が遊技動作を制御する制御回路に悪影響を及ぼして誤動作を生じさせるという欠点があった。これに対して、本実施形態では、機構板１４０を帯電防止持続性樹脂で成形することで、機構板１４０に静電気が帯電するのを防止し、ひいては静電気による制御回路の誤動作を防止するようになっている。帯電防止持続性樹脂は、ポリエチレングリコールとポリアミドとからなるポリエーテルエステルアミドエラストマー７〜２０重量％を、スチレン系樹脂９３〜８０重量％に配合することにより得られる。このようにして得られた帯電防止持続性樹脂は、帯電防止剤を練り込んだ樹脂と比較して、樹脂の表面を拭き取る等の作業を行っても、その帯電防止効果が劣化せず、長期間に亘って帯電防止効果が持続する。また、機構板１４０を成形する帯電防止持続性樹脂は透明（詳しくは青色透明）なため、機構板１４０に形成された各球通路（例えば、球抜き通路１１２等）を遊技球が流下する場合、その遊技球の流れが外部から視認できるようになっている。
【００６５】
また、本実施形態では、上記した機構板主体１４１のみならず、機構板１４０で使用する所定の合成樹脂部品（例えば、賞球タンク１４７、球整列レール部材１４８、カーブレール部材１５０など）を透明なＡＢＳ樹脂であり且つ帯電防止持続性樹脂で成形している。このように機構板主体１４１や球整列レール部材１４８などの構成部材を帯電防止持続性樹脂でありながら且つ透明にしているのは、球の流れが確認できるようにするためである。なお、透明な帯電防止持続性樹脂は、その樹脂の原料に着色顔料をねり込むことでつくられる。また、本実施形態では、帯電防止持続性樹脂の透明色を青色透明としているが、着色しない透明の場合、黄ばんだ透明色になってしまい美観が損なわれるため（タバコのヤニなどで汚れたような感じになってしまう）、青色透明とすることでその点を解消している。また、球通路部材１５６ａは、透明のポリカーボネイトで成形されており、耐磨耗性を向上している。また、ケース１５５及び各種基板ボックスも同様に透明のポリカーボネイトで成形されているが、これは、ケース１５５内あるいはボックス内が外部から確認できるようにするためで不正防止を目的としている。
【００６６】
以上、弾球遊技機１の構成、遊技盤４０の構成、及び機構板１４０の構成について説明してきたが、次に、配線接続される回路構成について、図９を参照して説明する。図９は、主基板１２０と各種制御基板及び電気部品との関係を示すブロック図である。主基板１２０には、遊技盤４０に設けられる各スイッチ５１，５２，５５ａ，５５ｂ，５６ａ，５６ｂ，６２ａ，６２ｂからの信号がスイッチ中継基板９５を介して入力されると共に始動球検出器６０からの信号も入力され、また、満タンスイッチ１５８及び球切れスイッチ１５７からの信号が機構板中継基板１０１及び払出制御基板９８を介して入力される。更に、主基板１２０には、中継基板１１３及び払出制御基板９８を介して払出個数カウントスイッチ１１６からの信号が入力されるものである。
【００６７】
上記した入力信号のうち、遊技盤４０に設けられる各スイッチ５１，５２，６０，６２ａ，６２ｂからの入力信号に基づいて主基板１２０は、遊技盤４０に設けられるソレノイド５０，５９，６５を駆動制御すると共に、遊技状態に応じた電飾信号を表示制御基板９０を介して電飾制御基板９２に出力し、遊技状態に応じた効果音信号を表示制御基板９０及び電飾制御基板９２を介して音声制御基板９４に出力し、更に、大当り表示制御信号あるいはリーチ表示制御信号又は外れ表示制御信号を表示制御基板９０に出力し、盤用外部端子基板９６に各種の遊技情報を出力する。電飾制御基板９２は、主基板１２０から入力される電飾信号の種類に応じて、装飾ＬＥＤ４５、普通可変表示装置６３、各種ＬＥＤ９，１０，１３，１４ａ，１４ｃ，１４ｂ，１４ｄ及び記憶表示ＬＥＤ６４を表示駆動制御すると共にソレノイド７１ｂ，７３ｂ，７４ｂを駆動制御し、音制御基板８２は、主基板１２０から入力される効果音信号の種類に応じて電飾制御基板９２を介してスピーカ１２ａ，１２ｂを駆動制御する。また、表示制御基板９０は、主基板１２０から入力される表示制御信号の種類に応じて特別可変表示装置４４の表示結果を導出するように制御する。
【００６８】
また、満タンスイッチ１５８からの入力信号に基づいて主基板１２０は、払出制御基板９８に満タン信号（払出停止コマンド）を出力し、その満タン信号に基づいて払出制御基板９８は、払出モータ１１５の駆動を停止させる。また、その満タン信号に基づいて、ステッピングモータ６０１の駆動を停止する。なお、満タンスイッチ１５８からの入力信号があったときには、電飾制御基板９２に満タン信号を出力して所定のランプ又はＬＥＤを表示駆動してその旨を報知するようにしてもよい。また、満タン信号を払出制御基板９８に出力するので、例えば、該払出制御基板９８上のエラー表示器等でその旨を報知するようにしてもよい。
【００６９】
また、遊技盤４０に設けられる通過球検出器６２ａ，６２ｂを除く各スイッチ５１，５２，５５ａ，５５ｂ，６０，５６ａ，５６ｂからの入力信号に基づいて主基板１２０は、払出制御基板９８に賞球個数信号を出力し、払出制御基板９８は、その賞球個数信号の入力に基づいて払出モータ１１５を駆動して所定個数の賞球を払い出す。また、払出個数カウントスイッチ１１６からの入力信号に基づいて主基板１２０は、未払出数があるか否かを判定する。また、払出個数カウントスイッチ１１６からの入力信号に基づいて主基板１２０は、枠用外部端子基板１０２に賞球個数情報（１０個で１パルス）を出力し、この信号を枠用外部端子基板１０２から外部の管理コンピュータの出力する。更に、各スイッチ５１，５２，５５ａ，５５ｂ，６０，５６ａ，５６ｂからの入力信号に基づいて主基板１２０は、電飾制御基板９２（及び音声制御基板９４）に賞球信号を出力し、賞球ＬＥＤ１０（又はスピーカ１２ａ，１２ｂ）を表示駆動してその旨を報知する。
【００７０】
更に、球切れスイッチ１５７からの入力信号に基づいて主基板１２０は、払出モータ１１５を駆動停止させるために払出制御基板９８に球切れ信号（払出停止コマンド）を出力したり、電飾制御基板９２に賞球切れ信号を出力して球切れＬＥＤ９を所定の態様で表示駆動する。なお、満タンスイッチ１５８又は球切れスイッチ１５７のいずれかがＯＮすることで賞球停止信号（払出停止コマンド）を主基板１２０から払出制御基板９８に出力して賞球しないようにし、いずれのスイッチ１５８，１５７ともＯＦＦであれば賞球可能信号（払出停止解除コマンド）を出力するというものでもよい。また、賞球ＬＥＤ１０に換えて未払出がある場合、点灯する未払出報知ランプなどを設けてもよい。
【００７１】
主基板１２０には、遊技動作を制御するためのスイッチ入力、賞球の払出動作を制御するためのスイッチ入力しか入力されず、主基板１２０と払出制御基板９８を除く他の制御基板９０，９２，９４との関係においては、主基板１２０から制御基板９０，９２，９４に向かって一方向の通信関係となる。このため、制御基板に不法な処理プログラムを組み込んで主基板１２０で不正な処理を施そうとしても実行することができないという利点があり、また、主基板１２０の制御の一部を他の制御基板９０，９２，９４，９８で担当しているので、主基板１２０の負担が軽減されると共に、主基板１２０の検査の容易化を図ることも可能である。
【００７２】
また、払出制御基板９８には、センサ基板１１４のモータ位置センサ及び払出個数カウントスイッチ１１６からの信号が中継基板１１３を介して入力され、残高表示基板１０４の球貸スイッチ３６及び返却スイッチ３７からの信号が入力され、カードユニット装置３１から各種の情報が入力されている。更に、前述したように、主基板１２０から賞球個数信号、満タン信号、球切れ信号が入力されるものである。上記した入力信号のうち、モータ位置センサからの入力信号に基づいて払出制御基板９８は、貸球及び賞球の払出動作において払出モータ１１５の停止位置、即ち球払出装置１５４のスプロケットの停止位置を正確に制御すると共にスプロケットが回転しているか否かを検出できる。また、払出個数カウントスイッチ１１６からの入力信号に基づいて払出制御基板９８は、貸球及び賞球の正確な払出数を払い出すように払出モータ１１５を駆動制御すると共に、枠用外部端子基板１０２に貸球数情報（１００円分の球２５個で１パルス）を出力する。なお、賞球数情報を主基板１２０から出力するようにしてもよい。
【００７３】
また、払出制御基板９８は、球貸スイッチ３６からの入力信号に基づいてカードユニット装置３１から貸球要求信号が出力されると払出モータ１１５を駆動し、また、返却スイッチ３７からの入力信号は、インターフェイス基板１０３を経由してカードユニット装置３１に伝達される。また、カードユニット装置３１からの各種の情報信号もインターフェイス基板１０３を経由して残高表示基板１０４の度数表示ＬＥＤ（図示しない）に伝達される。更に、主基板１２０からの球切れ信号、賞球個数信号、満タン信号等に基づいて払出制御基板９８は、前述したように中継基板１１３を介して賞球の払出動作を実行せしめたり、発射制御基板１０７にステッピングモータ６０１の停止信号を出力したりする。なお、枠用外部端子基板１０２に接続される球切れスイッチ１０７からの入力信号は、球切れ情報として外部の管理コンピュータ等に出力される。
【００７４】
また、上記した払出制御基板９８には、接続線（図示しない）を介して補強ヒンジ部材１７６が接続されており、この補強ヒンジ部材１７６あるいは補強ヒンジ部材１７６と係合する枠基体３の下側のヒンジ金具３１４に接続されるアース板４２５（図１９参照）から遊技球の静電気を受け、これをカードユニット装置３１から放電するようになっている。具体的に、アース板４２５（補強板）は、上皿１９に貯留された遊技球と接触した際にその遊技球に帯電した静電気を受ける。そして、アース板４２５で受けた静電気は、各種導電部材（補強ヒンジ部材１７６、上部ヒンジ金具２５４、下部ヒンジ金具２５６（いずれも図１３参照）、ヒンジ金具３１４、接続線）を介して払出制御基板９８に送られ、最終的には該払出制御基板９８とカードユニット配線３５で接続されたカードユニット装置３１から外部に放電される。
【００７５】
次に、透明板保持枠４の構成及び該透明板保持枠４に取り付けられる各種構成部材について、図１２乃至図１８を参照して説明する。図１２は、正面からの透明板保持枠４の分解斜視図であり、図１３は、背面からの透明板保持枠４の分解斜視図であり、図１４は、従来の遊技機の透視窓におけるカバー部材の取付構造を示す断面図であり、図１５は、図１におけるＡ−Ａでの概略断面図であり、図１６は、図１におけるＢ−Ｂでの概略断面図であり、図１７は、上部装飾ユニット２２の正面からの分解斜視図であり、図１８は、図１におけるＣ−Ｃでの概略断面図である。透明板保持枠４は、その外形がほぼ角型に形成されると共に、ほぼ中央には、遊技盤４０の遊技領域４１を透視し得る複層ガラス板が取り付けられる円形透視窓５が形成されている。また、透明板保持枠４の周縁には、後方に向かって補強周枠リブ１９９が立設され、透明板保持枠４の強度の向上を図っている。
【００７６】
透明板保持枠４の上部中央には、遊技効果ＬＥＤ１３が実装された遊技効果ＬＥＤ基板１９０が取り付けられる基板取付部２３８が突設されており、この基板取付部２３８表面の両側方には、基板取付ボス２３９が突設されると共に、左側方には、遊技効果ＬＥＤ基板１９０からの配線を通すための配線通し穴２４０が形成されている。しかして、遊技効果ＬＥＤ基板１９０は、基板取付ボス２３９に取付ネジ１９０ａによって取り付けられ、配線が配線通し穴２４０から透明枠保持板４の裏面側に通される。
【００７７】
基板取付部２３８の左側方には、遊技効果ＬＥＤ１４ａ及び遊技効果ランプ１４ｂが実装された遊技効果ＬＥＤランプ基板１９１が、右側方には、遊技効果ＬＥＤ１４ｃ及び遊技効果ランプ１４ｄが実装された遊技効果ＬＥＤランプ基板１９２が取り付けられるようになっており、それぞれの基板１９１，１９２を取り付けるための取り付けボス２４１及び配線を通すための配線通し穴２４２が透明保持枠４の縦中心線に対して左右対称の位置に形成されている。また、配線通し窓の下方には、遊技効果ランプ１４ｂ，１４ｄの後部が挿通される後部挿通穴２４３が同じく左右対称の位置に形成されている。しかして、遊技効果ＬＥＤランプ基板１９１，１９２は、基板取付ボス２４１にそれぞれ取付ネジ１９１ａ，１９２ａによって取り付けられ、配線が配線通し穴２４２から透明枠保持板４の裏面側に通される。また、このとき、遊技効果ランプ１４ｂ，１４ｄの後部が後部挿通穴２４３に挿通される。
【００７８】
また、遊技効果ＬＥＤランプ基板１９１の左側方には、スピーカ１２ａを取り付けるためのスピーカ取付部２４８ａが、遊技効果ＬＥＤランプ基板１９２の右側方には、スピーカ１２ｂを取り付けるためのスピーカ取付部２４８ｂが、角型形状で形成されており、このスピーカ取付部２４８ａ，２４８ｂの中央には、スピーカ１２ａ，１２ｂが臨むスピーカ開口が形成されている。２４８ｂは、図１３で示すように、透明板保持枠４の裏面から表面に向かって凹状に形成されており、裏面側から取付ネジ２０９によってスピーカ１２ａ，１２ｂが取り付けられるようになっている。
【００７９】
また、遊技効果ＬＥＤ基板１９０，遊技効果ＬＥＤランプ基板１９１，１９２，スピーカ１２ａ，１２ｂが取り付けられる部分の透明板保持枠４の裏面側には、各基板１９０，１９１，１９２及びスピーカ１２ａ，１２ｂからの配線を束ねるためのフック２４９が形成されている。なお、この各基板１９０，１９１，１９２及びスピーカ１２ａ，１２ｂが取り付けられる部分を覆うように、透明板保持枠４の上部には、後述する上部装飾ユニット２２が取り付けられる。上部装飾ユニット２２は、取付ネジ２５９によって、透明板保持枠４の裏面側から取り付けられるようになっている。
【００８０】
透明板保持枠４表面側のスピーカ取付部２４８ａの下方には、賞球ＬＥＤ１０が実装された賞球ＬＥＤ基板１９８が取り付けられる賞球ＬＥＤ基板取付部２１９が、スピーカ取付部２４８ｂの下方には、球切れＬＥＤ９が実装された球切れＬＥＤ基板１９７が取り付けられる球切れＬＥＤ基板取付部２１８が形成されている。しかして、賞球ＬＥＤ基板１９８は、取付ネジ１９８ａにより賞球ＬＥＤ基板取付部２１９に取り付けられ、球切れＬＥＤ基板１９７は、１９７ａにより球切れＬＥＤ基板取付部２１８に取り付けられる。
【００８１】
上記した賞球ＬＥＤ基板取付部２１９の左側方から透明板保持枠４の下部に亘って、装飾ランプ基板１９３，１９４が上方からこの順で縦長方向に取付ネジ（図示しない）によって取り付けられている。この装飾ランプ基板１９３，１９４は、それぞれ遊技効果ランプ１６ａ，１６ｂが実装されると共に、左上から右下に亘って傾斜して取り付けられるものである。また、上記した球切れＬＥＤ基板取付部２１８の右側方から透明板保持枠４の下部に亘って、装飾ランプ基板１９５，１９６が上方からこの順で縦長方向に取付ネジ（図示しない）によって取り付けられている。この装飾ランプ基板１９５，１９６は、それぞれ遊技効果ランプ１７ａ，１７ｂが実装されると共に、右上から左下に亘って傾斜して取り付けられるものである。
【００８２】
上記した遊技効果ランプ１６ａ，１６ｂの前面側には、遊技効果ランプ１６ａ，１６ｂを覆うように被覆部材としての左装飾ユニット２３が着脱可能に取り付けられ、遊技効果ランプ１７ａ，１７ｂの前面側には、遊技効果ランプ１７ａ，１７ｂを覆うように被覆部材としての右装飾ユニット２４が着脱可能に取り付けられている。以下に、この左装飾ユニット２３及び右装飾ユニット２４の構成について説明するが、左装飾ユニット２３及び右装飾ユニット２４は、互いに対称形状であるため、左装飾ユニット２３を代表に説明する。なお、上記した遊技効果ランプ１６ａ，１６ｂ，１７ａ，１７ｂは、遊技の演出を行う場合にのみ発光するものである。
【００８３】
左装飾ユニット２３は、無色透明で透光性を有する合成樹脂により形成された第１のカバー部材である左第１カバー部材２０１の後面側から、有色透明で透光性を有する合成樹脂により形成された第２のカバー部材である左第２カバー部材２０３を係合固定することにより構成されている。左第１カバー部材２０１は、なだらかな曲線でほぼ円弧状に形成されており、その上部右側方には、左装飾ユニット２３を透明板保持枠４に取り付けた際に賞球ＬＥＤ１０の前面側を被覆する位置に、左第２カバー部材２０３と重ならない非重合部２００が形成されている。この非重合部２００の内側面には、賞球ＬＥＤ１０の前面側を被覆する賞球ＬＥＤカバー部材２０７が取り付けられる。また、左第１カバー部材２０１の外周面には、左第２カバー部材２０３の後述する係止突起２０５が係止される係止穴２０２が形成されている。
【００８４】
一方、左第２カバー部材２０３は、左第１カバー部材２０１と同様に、なだらかな曲線でほぼ円弧状に形成されており、その上部及び下部両側方には、左装飾ユニット２３を透明板保持枠４に取り付けるための係止片２０４が形成されると共に、その外周面には、左第１カバー部材２０１の前記係止穴２０２に係止される係止突起２０５が形成されている。また、上部右側方には、左装飾ユニット２３を組み立てた際に、賞球ＬＥＤカバー部材２０７を押圧するための押圧片２０６が突設されている。
【００８５】
また、左第２カバー部材２０３の前面全体には、発光部材としての遊技効果ランプ１６ａ，１６ｂからの光を拡散するための光拡散処理が施されている。この光拡散処理は、左第２カバー部材２０３の左第１カバー部材２０１と対向する前面側と、遊技効果ランプ１６ａ，１６ｂと対向する左第２カバー部材２０３の後面側と、で異なる形状で施されているローレット加工である。具体的には、左第２カバー部材２０３の左第１カバー部材２０１と対向する前面側には、上下方向のローレット加工が施され、遊技効果ランプ１６ａ，１６ｂと対向する左第２カバー部材２０３の後面側には、左右方向のローレット加工が施されている。なお、光拡散処理は、このようなローレット加工に限らず、左第２カバー部材２０３に貼付された光拡散シートであってもよい。
【００８６】
上記した左第１カバー部材２０１及び左第２カバー部材２０３は、弾球遊技機１の中央側に位置する側面の長さが弾球遊技機１の側方側に位置する側面の長さよりも短く形成され、弾球遊技機１の中央側に位置する側面の前方端部と弾球遊技機１の側方側に位置する側面の前方端部とを結ぶ面が、遊技効果ランプ１６ａ，１６ｂからの光を弾球遊技機１の内側に向かせるための傾斜面２０１ａ，２０３ａとして形成されている。具体的には、図１６に示すように、左第１カバー部材２０１と左第２カバー部材２０３を組み付けた状態での側面の長さは、弾球遊技機１の中央側に位置する側面よりも弾球遊技機１の側方側に位置する側面の方が長く形成され、左第１カバー部材２０１及び左第２カバー部材２０３を透明板保持枠４の平坦な取付面に取り付けたときに、傾斜面２０１ａが内側、つまり遊技者側を向くようになっている。なお、右第１カバー部材２１１及び右第２カバー２１３は、左第１カバー部材２０１及び左第２カバー部材２０３と対称形状であるため、同様である。
【００８７】
しかして、左装飾ユニット２３を透明板保持枠４に取り付けるには、まず、左第１カバー部材２０１の非重合部２００の裏面側から賞球ＬＥＤカバー部材２０７を挿入した後、左第１カバー部材２０１の裏面側から左第２カバー部材２０３を重ね合わせる。このとき左第２カバー部材２０３の係止突起２０５が左第１カバー部材２０１の係止穴２０２に係止されることにより、左第２カバー部材２０３が左第１カバー部材２０１に固定される。このとき、左第２カバー部材２０３の押圧片２０６が賞球ＬＥＤカバー部材２０７を押圧するため、賞球ＬＥＤカバー部材２０７も同時に左第１カバー部材２０１に固定される。このように左装飾ユニット２３を組み立てた後、左第２カバー部材２０３の係止片２０４を透明板保持枠４の係止穴２２７（図１６参照）に係止させ、透明板保持枠４の裏面側から取付ネジ２６０を螺着することにより、左装飾ユニット２３が透明板保持枠４に取り付けられる。
【００８８】
なお、上記のように、左装飾ユニット２３について説明したが、左装飾ユニット２３における、非重合部２００，左第１カバー部材２０１，傾斜面２０１ａ，係止穴２０２，左第２カバー部材２０３，傾斜面２０３ａ，係止片２０４，係止突起２０５，押圧片２０６，賞球ＬＥＤカバー部材２０７，取付ネジ２６０が、右装飾ユニット２４における、非重合部２１０，左第１カバー部材２１１，傾斜面２１１ａ，係止穴２１２，左第２カバー部材２１３，傾斜面２１３ａ，係止片２１４，係止突起２１５，押圧片２１６，賞球ＬＥＤカバー部材２１７，取付ネジ２６１に対応するものである。
【００８９】
上記した左装飾ユニット２３の左側方には、台形状の装飾カバー２３０ａ，同じく台形状の装飾カバー２３０ｂ，三角形状の２３０ｃが、透明板保持枠４の下方からこの順に備えられている。また、右装飾ユニット２４の右側方には、左装飾ユニット２３の場合と同様に、台形状の装飾カバー２３０ｄ，同じく台形状の装飾カバー２３０ｅ，三角形状の２３０ｆが、透明板保持枠４の下方からこの順に備えられている。装飾カバー２３０ａ〜２３０ｆは、透明板保持枠４に形成されたカバー嵌入部２３４ａ〜２３４ｆにそれぞれ嵌入されるものであり、装飾カバー２３０ａ〜２３０ｆとカバー嵌入部２３４ａ〜２３４ｆとの間には、装飾シート２３２ａ〜２３２ｆがそれぞれ挟持されている。具体的には、装飾カバー２３０ａ〜２３０ｆの係合部２３１ａ〜２３１ｆに装飾シート２３２ａ〜２３２ｆの凹部２３３ａ〜２３３ｆを係合させながら、装飾シート２３２ａ〜２３２ｆを装飾カバー２３０ａ〜２３０ｆの裏面に当接させ、この状態で係合部２３１ａ〜２３１ｆをカバー嵌入部２３４ａ〜２３４ｆ内に形成された係合穴２３５ａ〜２３５ｆに係合させることにより装飾カバー２３０ａ〜２３０ｆ（無色透明）がカバー嵌入部２３４ａ〜２３４ｆに取り付けられる。なお、装飾シート２３２ａ〜２３２ｆ（白色）は、装飾効果を向上させるためのものである。
【００９０】
図１２に示すように、上記した装飾ランプ基板１９４の下端部の右側方及び、装飾ランプ基板１９６の下端部の左側方には、遊技盤４０に貼付された証紙（証明手段）６７ａ，６７ｂ（図７参照）を透視し得る後面透視窓２６３ａ，２６３ｂが形成されている。また、後面透視窓２６３ａ，２６３ｂの外周縁には、透視窓凸部２４４ａ，２４４ｂが突設されている。また、左右の後面透視窓２６３ａ，２６３ｂの透明板保持枠４中心側の側方には、後述するガラスシャフト２４５が嵌入されるシャフト挿入穴２４６が穿設されている。なお、上記した証紙６７ａ，６７ｂは、弾球遊技機１の製造番号等を表記するものである。この証紙６７ａ，６７ｂは、実施形態においては、遊技盤４０の下部に貼付されているものを示したが、例えば、遊技盤４０の上部であってもよく、下部に貼付されているものに限るものではない。
【００９１】
上記した後面透視窓２６３ａ，２６３ｂやシャフト挿入穴２４６は、円形透視窓５の下方に位置するものであるが、この円形透視窓５の下方には、前面構成枠としての下部装飾ユニット２５が取り付けられている。この下部装飾ユニット２５は、有色の化粧部材である下部第２カバー部材２２４の前面に透明の化粧部材である下部第１カバー部材２２１を重ねることにより形成されている。下部第１カバー部材２２１は、ほぼ円弧状に形成されるものであり、その両側方の下部は、下部第２カバー部材２２４の後述する透視窓２２５ａ，２２５ｂの前面側を被覆する透視窓被覆部２２２ａ，２２２ｂとして形成されている。また、両側方の上部には、下部第１カバー部材２２１を透明板保持枠４に取り付けるための取付穴２２３が穿設されている。また、下部第１カバー部材２２１の裏面側には、下部装飾ユニット２５を透明板保持枠４に取り付けるための取付ボス（図示しない）が突設されている。
【００９２】
下部第２カバー部材２２４は、下部第１カバー部材２２１と同様にほぼ円弧状に形成されるものであり、その両側方下部には、前記証紙を透視し得る透視窓２２５ａ，２２５ｂが形成されている。この透視窓２２５ａ，２２５ｂは、下部第２カバー部材２２４の両側方に前記透視窓凸部２４４ａ，２４４ｂの外周に沿った形状で形成されている。また、透視窓２２５ａ，２２５ｂの近傍であって下部第１カバー部材２２１の取付ボスと対応する位置には、下部第１カバー部材２２１との位置決めをするための位置決め部２２６が形成されている。しかして、下部第１カバー部材２２１の裏面側に下部第２カバー部材２２４を重ね、透明板保持枠４の裏面から取付ネジ２６２によってねじ止めすることにより、下部装飾ユニット２４が透明板保持枠４に取り付けられる。なお、下部第１カバー部材２２１の裏面側に下部第２カバー部材２２４に重ねた際、図１５に示すように、下部第２カバー部材２２４の透視窓２２５ｂの内側壁面と下部第１カバー部材２２１の後面とにより透視窓凹部２６４が形成され、この透視窓凹部２６４の内側には、前記透視窓凸部２４４ａ，２４４ｂが嵌合するようになっている。このため、万が一、下部第１カバー部材２２１と下部第２カバー部材２２４との間に異物が侵入され、不正行為が行われようとした場合であっても、透視窓凸部２４４ａ，２４４ｂによって異物の侵入を阻止することができ、より不正行為を防止することができる。なお、従来は、例えば、図１４に示すように、表側のカバー部材Ａに形成された証紙を透視し得る透視窓Ｂの裏面側から、透明のカバー部材Ｃを取り付ける構造となっていた。このため、カバー部材Ａと透明のカバー部材Ｃとの間からピアノ線等の異物を侵入させて、特別可変入賞球装置を開放させたままにして多数の遊技球を入賞させたり、特別可変入賞球装置内の特定玉検出器を検知させて特定遊技状態を継続させたり、あるいは、入賞口内の入賞球検出器を検知させて賞球を得たり、というように不正に利益を得る行為をされるおそれがあった。
【００９３】
透明板保持枠４の裏面側には、上述したように、その上部にスピーカ１２ａ，１２ｂが取り付けられるが、スピーカ１２ａ，１２ｂの他にも保持枠中継基板１００や、配線を束ねて押えるための配線押え２５８が取り付けられている。保持枠中継基板１００は、スピーカ１２ａの左側方に位置しており、透明板保持枠４の裏面側上部に突設された基板取付ボス２４７に対して、取付ネジ１００ａによって取り付けられ、配線押え２５８は、下部右側方に取付ネジ２５８ａによって取り付けられている。
【００９４】
更に、前面開閉枠４の裏面における上辺及び左右辺の前記補強周枠リブ１９９の内側及び下端面の内側には、補強防犯金具２５０，２５１，２５２，２５３が前面開閉枠４の裏面周回に穿設される取付穴２５７（一部の取付穴２５７にのみ符号を付してある）に補強防犯金具２５０，２５１，２５２，２５３の水平面に穿設される取付穴を対応させて取付穴２５７に取付ネジ２６６により止着されている。より具体的には、開放側に取着される補強防犯金具２５２は、断面Ｌ字状であって、その水平面が前記取付穴２５７に取り付けられる一方、その垂直面が前記補強周枠リブ１９９の外側に突出する防犯立片２５２ａとして形成されると共にその防犯立片２５２ａの上下２か所から水平方向に係合片２６５が突設されている。この係合片２６５は、施錠装置１２８の枠用フック３８９と係合するものである。また、上辺に止着される補強防犯金具２５０も、断面Ｌ字状であって、その水平面が前記取付穴２５７に取り付けられる一方、その垂直面は、前記補強周枠リブ１９９の外側に突出する防犯立片２５０ａとして形成される。同様に軸支側に取着される補強防犯金具２５１も、断面Ｌ字状であって、その水平面が前記取付穴２５７に取り付けられる一方、その垂直面は、前記補強周枠リブ１９９の外側に突出する防犯立片２５１ａとして形成される。更に、同様に下辺に止着される補強防犯金具２５３も、断面Ｌ字状であって、その水平面が前記取付穴２５７に取り付けられる一方、その垂直面は、防犯立片２５３ａとして形成される。
【００９５】
また、補強防犯金具２５１の上端と補強防犯金具２５０の右側端部との間には、上部ヒンジ金具２５４が取付ネジ２５４ａによって共締めされており、補強防犯金具２５１の下端と補強防犯金具２５３の右側端部との間には、下部ヒンジ金具２５６が取付ネジ２６６によって共締めされている。上部ヒンジ金具２５４には、軸支ピン２５５が突設されており、この軸支ピン２５５は、枠基体３の後述する枠上部ヒンジ３０６の挿通穴３０７に挿通されるものである。また、上部ヒンジ金具２５４を透明板保持枠４に取り付けた際には、軸支ピン２５５部分が透明板保持枠４の表面上部左側方に設けられた上部ヒンジカバー部２０８ａ内に収納されるようになっている。また、下部ヒンジ金具２５６には、軸支穴２５６ａが穿設されており、この軸支穴２５６ａは、枠基体３の後述する枠下部ヒンジ３１８の軸支ピン３１９が挿通されるものである。また、下部ヒンジ金具２５６を透明板保持枠４に取り付けた際には、軸支穴２５６ａ部分が透明板保持枠４の表面下部左側方に設けられた下部ヒンジカバー部２０８ｂ内に収納されるようになっている。
【００９６】
また、前述したように、透明板保持枠４の上部には、図１７に示す上部装飾ユニット２２が取り付けられるが、次に、この上部装飾ユニット２２の構成について説明する。上部装飾ユニット２２は、主として上部装飾ユニット２２内に位置する遊技効果ＬＥＤ１３，１４ａ，１４ｃ、遊技効果ランプ１４ｂ，１４ｄからの光を反射する反射部材２７０と、遊技効果ＬＥＤ１３，１４ａ，１４ｃ、遊技効果ランプ１４ｂ，１４ｄ及び反射部材２７０を被覆する保護カバー２７１と、から構成されている。また、反射部材２７０の両側方には、透光レンズ２７２が備えられている。
【００９７】
まず、反射部材２７０は、遊技効果ＬＥＤ１３，１４ａ，１４ｃ、遊技効果ランプ１４ｂ，１４ｄからの光をより反射し易くするために、その表面全体に亘って銀メッキが施されている。また、反射部材２７０は、表面全体が複雑な凹凸形状をなしており、その中央部分が前面側に隆起した隆起部分としての隆起部２７６として形成され、隆起部１７６の前面側中央には、遊技効果ＬＥＤ１３が臨むＬＥＤ穴２７４が縦方向に一列に形成されている。このＬＥＤ穴２７４の両側方には、後述する前面飾り２８９の取付ボス２９０が挿通されるボス挿通穴２８１が穿設されている。また、隆起部２７６の側面は、図１８に示すように、傾斜を持った隆起部側面２７７として形成されている。
【００９８】
隆起部２７６の両側方には、半球状に形成されたランプ凹部２７８が形成されており、このランプ凹部２７８の両側方には、半球状のランプキャップ２８２の係止片２８３が係止される係止穴２７９が形成されている。また、ランプ凹部２７８の中央には、ランプ穴２７５が穿設されており、左側のランプ凹部２７８のランプ穴２７５には、遊技効果ランプ１４ｂが、右側のランプ凹部２７８のランプ穴２７５には、遊技効果ランプ１４ｄが臨むようになっている。
【００９９】
左側のランプ凹部２７８の左側方及び右側のランプ凹部２７８の右側方は、反射部材２７０の中央側に向けて湾曲して湾曲部２８０が形成されている。また、この湾曲部２８０の上方であって、反射部材２７０の側方上端部には、反射部材２７０及び透光レンズ２７２を保護カバー２７１に取り付ける際に、透光レンズ２７２を保護カバー２７１と反射部材２７０との間で挟持するための挟持片２７３が形成されている。
【０１００】
次に、保護カバー２７１は、上部装飾ユニット２２を組み立てた際に、反射部材２７０を視認可能な無色透明（うすく着色したものであってもよい）な材料で形成されると共に、反射部材２７０全体を被覆する形状に形成されている。保護カバー２７１の表面中央には、ほぼＶ字形状の前面飾り２８９が取り付けられるようになっており、取り付けるためのボス挿通穴２８５が穿設されている。また、表面両側方には、スピーカ穴２８４が形成されており、このスピーカ穴２８４は、上部装飾ユニット２２を透明板保持枠４に取り付けた際にスピーカ１２ａ，１２ｂの前面側に臨むようになっている。また、保護カバー２７１の上面両側方には、上部装飾ユニット２２を透明板保持枠４に取り付けるための係止片２８６が突設されている。更に、保護カバー２７１の反射部材２７０の隆起部側面２７７を被覆する部分である側面被覆部２９２（図１８参照）には、遊技効果ＬＥＤ１３，１４ａ，１４ｃ、遊技効果ランプ１４ｂ，１４ｄからの光を拡散するための光拡散処理が施されている。この光拡散処理は、例えば、側面被覆部２９２の表面に施されたローレット加工あるいは、側面被覆部２９２の表面に貼付された光拡散シート等である。
【０１０１】
次に、透光レンズ２７２は、有色の合成樹脂（第２カバー部材２０３，２１３と同じ色、例えば、黄色、オレンジ色等）により形成され、上部装飾ユニット２２内に位置する遊技効果ＬＥＤ１３，１４ａ，１４ｃ、遊技効果ランプ１４ｂ，１４ｄの光が透過するものである。透光レンズ２７２は、一側方が湾曲して湾曲部２８８として形成されると共に、その前面側には、光拡散処理としてローレット加工が施されている。また湾曲部２８８の上方には、反射部材２７０及び透光レンズ２７２を保護カバー２７１に取り付ける際に、反射部材２７０の挟持片２７３によって押圧される押圧部２８７が形成されている。
【０１０２】
しかして、保護カバー２７１の裏面両側方に透光レンズ２７２を挿入した後、同じく裏面側から反射部材２７０を当接させる。このとき反射部材２７０の挟持片２７３が透光レンズ２７２の押圧部２８７を押圧する。この状態で、取付ボス２９０をボス挿通穴２８５，２８１に挿通することにより、前面飾り２８９を保護カバー２７１に取り付け、反射部材２７０の裏面側から取付ネジ２９１を取付ボス２９０に螺着することにより、上部装飾ユニット２２全体が組み立てられる。組み立てられた上部装飾ユニット２２は、図１８で示すように、反射部材２７０の隆起部側面２７７と保護カバー２７１の裏面側との間に空間が形成され、この空間によって、遊技効果ＬＥＤ１３，１４ａ，１４ｃ、遊技効果ランプ１４ｂ，１４ｄから発光されて保護カバー２７１の裏面側で反射した光が反射部材２７１の隆起部側面２７７で反射することとなる。
【０１０３】
次に、上皿開閉枠１１について図１９を参照して説明する。図１９は、上皿開閉枠１１の正面からの分解斜視図である。上皿開閉枠１１は、主として上皿開閉枠１１のベースとなる上皿装飾部材４００と、上皿装飾部材４００に取り付けられる上皿１９とから構成されている。上皿１９は、主として透明の合成樹脂製の上皿第１カバー体４０１と有色の合成樹脂製の上皿第２カバー体４０９と同じく有色の合成樹脂製の上皿本体４２０とを取付ネジ４１３，４４７で取り付けることにより構成されると共に、上皿装飾部材４００に対して取付ネジ４４８で取り付けられている。なお、上皿装飾部材４００と上皿１９との間には、透明の合成樹脂製の第１ベース板４２９及び有色の合成樹脂製の第２ベース４３３が挟持されて取り付けられている。この第１ベース板４２９及び第２ベース４３３は、取付ネジ４４９によって、上皿装飾部材４００に取り付けられると共に、取付ネジ４５０によって上皿１９と共締めされている。
【０１０４】
上皿装飾部材４００には、その開放側の上部に球抜きレバー用開口４４５が開設され、この球抜きレバー用開口４４５には、球抜き操作レバー２１が臨むレバー装飾部材４２６が第１ベース板４２９の第１レバー開口４３０と第２ベース４３３の第２レバー開口４３４とを介して取付ネジ４２６ａ，４６９によって取り付けられるようになっている。この球抜き操作レバー２１は、レバーベース４６４の取付穴４６４ａに挿通され、レバー装飾部材４２６の挿入穴４２７を貫通した取付ネジ４６５によりレバーベース４６４に取り付けられるものである。レバーベース４６４は、その上部（取付穴４６４ａが穿設されている部分）がスプリング４６６と共に球抜きレバー収納部材４６７に収納されて上皿装飾部材４００の裏面に取り付けられるものであるが、その取付構造は、球抜きレバー用開口４４５の左右に突設される取付ボス（図示しない）に、球抜きレバー収納部材４６７の左右に突設される取付片４６８を対応させて取付ネジ４６９で止着されるものである。また、レバーベース４６４の下部の一側には、下方に向けて連結片４７９が突設されている。この連結片４７９は、第１ベース板４２９の第１球抜き弁用開口４３２と第２ベース４３３の第２球抜き弁用開口４３６と上皿装飾部材４００の装飾部材球抜き弁用開口４８０とを貫通する球抜き弁４２３の挟持片４２４と係合するものである。球抜き弁４２３は、上皿本体４２０の後述する整列部４８１の流下端底面を開閉自在に閉塞するもので、上皿本体４２０の内部空間に設けられるものである。
【０１０５】
しかして、遊技者が球抜き操作レバー２１をスプリング４６６の付勢力に抗して一方向に移動させることにより、レバーベース４６４及び球抜き弁４２３が移動して上皿本体４２０の後述する貯留部４８２に貯留されていた球を整列部４８１から上皿本体４２０の内部に形成される球抜き路（図示しない）を流下させ、上皿装飾部材４００の下部中央に穿設される球抜き穴４４４から後述する誘導ボックス部材３４２の抜き球転動面３９８に導き、抜き球転動面３９８から溢れ球入口３９７を介して排出口３３５から接続樋３９２を介して下皿２７に誘導するものである。なお、上記した球抜きレバー収納部材４６７およびレバーベース４６４は、球抜き用カバー４７６によって覆われているが、その球抜き用カバー４７６は、上皿装飾部材４００の裏面に突設される取付ボス（図示しない）に取付ネジ４７７，４７８で止着されるようになっている。また、上皿本体４２０は、上皿装飾部材４００の左側上部に形成される賞球払出口２０と上皿装飾部材４００の右側下部に形成される球送り部材用開口４４６とを連絡するように貯留部４８２と整列部４８１とを有して形成されている。なお、第１ベース板４２９及び第２ベース板４３３には、賞球払出口２０と対応する位置にそれぞれ第１切欠部４３１及び第２切欠部４３５が形成されている。
【０１０６】
上記した賞球払出口２０の裏面には、賞球接続樋４５５が取り付けられている。この賞球接続樋４５５は、賞球払出口２０の左右外側に突設される取付ボス（図示しない）に左右の取付片４５６に対応させて取付ネジ４５９，４７８で止着するものである。なお、取付ネジ４７８は、球抜き用カバー４７６と共締めに使用されるものである。また、このとき、賞球接続樋４５５の上壁面及び左右側壁面を被覆する金属製の被覆部材４５７も一体的に取り付けられるようになっている。具体的には、被覆部材４５７に形成された取付片４５８が賞球接続樋４５５の取付片４５６と共に取付ボスに取付ネジ４５９，４７８止めされることで取り付けられる。これにより、金属製の被覆部材４５７が賞球接続樋４５５を被覆する構成となり、タバコ、ライター、熱線等の発熱具によって不正に合成樹脂製の賞球接続樋４５５に穴を開けてピアノ線などをその穴から挿入するような不正行為を防止するようになっている。
【０１０７】
また、上記した球送り部材用開口４４６には、揺動部材４７２を有する球送り部材４７０が臨むようになっている。この球送り部材４７０は、その左右部に一体的に形成される嵌合取付ボス４７１を上皿本体４２０の下流端に形成される取付ボス４２１に嵌合させて取り付け、球送り部材用開口４４６の近傍に突設される取付ボス（図示しない）に取付ネジ４７５によって揺動自在に止着される止め金４７３によってその背面が押圧されて脱落しないように取り付けられるものである。しかして、球送り部材４７０は、整列部４８１から供給される打球を受け入れ、後に詳述する打球発射装置１３０の打球槌６００の往復動作に連動して揺動する揺動部材４７２の動作に応じて打球を１個ずつ発射レール３４５（図２０参照）の発射位置に供給するものである。
【０１０８】
また、上皿装飾部材４００の左側方には、台形状の装飾カバー４３８ａが備えられ、上皿装飾部材４００の右側方には、台形状の装飾カバー４３８ｂが備えられている。装飾カバー４３８ａ，４３８ｂは、上皿装飾部材４００に形成されたカバー嵌入部４４２ａ，４４２ｂにそれぞれ嵌入されるものであり、装飾カバー４３８ａ，４３８ｂとカバー嵌入部４４２ａ，４４２ｂとの間には、装飾シート４４０ａ，４４０ｂがそれぞれ挟持されている。具体的には、装飾カバー４３８ａ，４３８ｂの係合部４３９ａ，４３９ｂに装飾シート４４０ａ，４４０ｂの凹部４４１ａ，４４１ｂを係合させながら、装飾シート４４０ａ，４４０ｂを装飾カバー４３８ａ，４３８ｂの裏面に当接させ、この状態で係合部４３９ａ，４３９ｂをカバー嵌入部４４２ａ，４４２ｂ内に形成された係合穴４４３ａ，４４３ｂｆに係合させることにより装飾カバー４３８ａ，４３８ｂ（無色透明）がカバー嵌入部４４２ａ，４４２ｂ取り付けられる。なお、装飾シート４４０ａ，４４０ｂ（白色）は、装飾効果を向上させるためのものである。
【０１０９】
また、上皿装飾部材４００の軸支側の裏面には、上皿装飾部材４００を枠基体３に対して開閉自在に軸支するための上皿ヒンジ４５１が取付ネジ４５４によって取り付けられている。上皿ヒンジ４５１は、上部が前面側に向けて直角に折り曲げられると共に、その先端には、挿通穴４５２が穿設されている。また、下部には、Ｌ字形のヒンジピン４５３が備えられている。挿通穴４５２には、枠基体３の後述する枠下部ヒンジ３１８の軸支ピン３１９が挿通され、ヒンジピン４５３は、同じく枠基体３の後述する下皿枠ヒンジ３２２の挿通穴３２３に挿通されるものである。この軸支ピン３１９及びヒンジピン４５３を中心に上皿装飾部材４００が枠基体３に対して開閉自在に軸支される。
【０１１０】
また、上皿装飾部材４００の開閉側の裏面には、上皿開閉枠１１を枠基体３に対して開閉するための上皿ロック４６０が取付ネジ４６３によって取り付けられている。上皿ロック４６０には、枠基体３の後述する上皿ロック板３５２に係止される係止片４６２と、上皿開閉枠１１を開閉する際に下方に押すことにより上皿ロック板３５２と係止片４６２との係止が解除される操作片４６１が備えられている。
【０１１１】
次に、上皿１９を構成する上皿第１カバー体４０１，上皿第２カバー体４０９及び上皿本体４２０について説明する。上皿本体４２０は、賞球を貯留する貯留部４８２と該貯留部４８２に連通して賞球を一列に整列して発射位置に導く整列部４８１とが合成樹脂によって一体的に形成されたものである。整列部４８１の底面には、流下する球によって底面が摩耗しないように金属製の補強板（アース板）４２５が取り付けられていると共にその下流部に球抜き弁４２３が設けられている。なお、補強板４２５は、接続線を介して上皿ヒンジ４５１に接続され、上皿ヒンジ４５１が前記補強ヒンジ部材１７６に接続されることで、整列部４８１に整列される遊技球の静電気を放電するようになっている。即ち、補強板４２５は、アース板としても作用するようになっている。
【０１１２】
また、上皿本体４２０の下部辺に沿って複数の取付穴４２２が一体的に形成されると共に、一側端部に取付ボス４２１が後方に向かって突設されている。取付穴４２２は、次に説明する上皿第２カバー体４０９を組み付けるためのものであり、取付ボス４２１は、球送り部材４７０を取り付けるためのものである。また、上皿本体４２０の上部縁に沿って係合凹部４８３が形成され、上皿第２カバー体４０９を組み付けたときに上皿第２カバー体４０９の上端縁に沿って形成される係合凸部４８４が嵌合されるようになっている。更に、上皿本体４２０の前面側には、前記球抜き弁４２３によって球抜きされた球を後述する誘導ボックス部材３４２の抜き球転動面３９８に導くための球抜き路（図示しない）が形成されている。
【０１１３】
一方、上記した上皿本体４２０の前方及び下方を覆う上皿第２カバー体４０９は、その上部に上皿本体４２０の前端部の外形と合致する係合凸部４８４が形成されると共に、その前面に上皿第１カバー体４０１を取り付けるための取付穴４１２が穿設されている。また、裏面側には、上皿第２カバー体４０９を上皿装飾部材４００に取り付けるための取付ボス４１１が突設されている。また、上皿本体４２０を組み付けたときの前記整列部４８１に対応する部分の上皿第２カバー体４０９の上面には、取付開口４１０が開設されている。この取付開口４１０には、透光性のある半透明合成樹脂（スモーク）で形成される透視レンズ板４１４が装着されるようになっている。透視レンズ板４１４には、その周辺に周辺鍔部４１５が段差状に形成されている。周辺鍔部４１５は、透視レンズ板４１４を下皿カバー体２３３の内側から前記取付開口４１０に嵌め込むように装着したときに取付開口４１０の開口縁と当接するものである。
【０１１４】
ところで、透視レンズ板４１４は、その裏面側に残高表示基板１０４（図９に符号のみ記載）が取り付けられるようになっている。即ち、透視レンズ板４１４の裏面には、一対の基板取付ボス（図示しない）が垂下され、この基板取付ボスの下端に残高表示基板１０４が取付ネジ（図示しない）によって止着されている。残高表示基板１０４には、その上面に球貸スイッチ３６（図９に符号のみ記載）、返却スイッチ３７（図９に符号のみ記載）、度数表示ＬＥＤ１０５（図９に符号のみ記載）、球貸可表示ＬＥＤ１０６（図９に符号のみ記載）が実装されていると共にその裏面に配線がコネクタ接続されている。これらのスイッチ２４，２５及び表示ＬＥＤ１０５，１０６は、弾球遊技機１に隣接して設けられる前記カードユニット装置３１を介して遊技球を借り受ける際に操作する操作部を構成するものである。球貸スイッチ３６は、球貸可表示ＬＥＤ１０６が点灯しているときにカードユニット装置３１によって遊技球を借り受ける際に操作するものであり、返却スイッチ３７は、遊技終了の際にカードユニット装置３１のカード挿入口に差し込まれたカードを返却するためのものである。また、度数表示ＬＥＤ１０５は、カードユニット装置３１のカード挿入口に差し込まれたカードの残額が表示されるものである。
【０１１５】
また、透視レンズ板４１４には、前記球貸スイッチ３６及び返却スイッチ３７に対応する位置に操作ボタン用開口４１７が形成され、この開口４１７に球貸ボタン４１８ａと返却ボタン４１８ｂとがそれぞれバネ４１９ａ，４１９ｂを介して摺動可能に取り付けられ、各ボタン４１８ａ，４１８ｂの裏面中央に突設される押圧突起（図示しない）によって各スイッチ２４，２５を押圧するようになっている。なお、カードユニット装置３１が隣接しない弾球遊技機にこの構造の上皿１９を適用する場合には、その裏面側に残高表示基板１０４の取付をせず、操作ボタン用開口４１７に予備ボタンを埋め込んだ透視レンズ板を使用しても良いし、あるいは開口４１７及び基板取付ボスのない透視レンズ板を使用しても良い。また、上皿１９を取り付けた状態で前記整列部４８２に対応する部分には、流下する打球によって透明板保持枠４の前面側が摩耗しないように摩耗防止部材４３７（ナイロンシート）が取り付けられるようになっている。
【０１１６】
また、上記した上皿第２カバー体４０９の前面側には、上皿第２カバー体４０９を覆うように上皿第１カバー体４０１が備えられている。この上皿第１カバー体４０１は、透明の合成樹脂によってほぼ上皿第２カバー体４０９の外形に沿った形状で形成されているが、上皿第２カバー体４０９とは異なり、その両双方上下には、後述する上皿レンズ４０５〜４０８が挿入されるレンズ挿入部４８５ａ〜４８５ｄが形成されている。また、その前面ほぼ中央に合成樹脂製のネーム装飾板４０４を取り付けるための取付凹部４０３が形成されている。ネーム装飾板４０４には、製造元のロゴが表示され、取付凹部４０３に貼付するようになっている。なお、ネーム装飾板４０４は、その取付部分となる上皿第１カバー体４０１とは個別の部材で構成されているので、ネーム装飾板４０４の色彩を透明板保持枠４の他の部材の色彩と異ならせることにより、製造元の表示にインパクトを持たせることもできる。
【０１１７】
上記した上皿第１カバー体４０１は、取付ネジ４１３によって上皿第２カバー体４０９と組み付けられると共に、取付ネジ４４８を取付ボス４０２に螺着することによって上皿装飾部材４００に取り付けられる。なお、上皿装飾部材４００に取り付ける際に、有色の合成樹脂により形成される上皿レンズ４０５〜４０８をそれぞれレンズ挿入部４８５ａ〜４８５ｄに挿入することにより、上皿レンズ４０５〜４０８が上皿第１カバー体４０１と上皿装飾部材４００とで挟持されるように取り付けられる。
【０１１８】
次に、枠基体３の構成及び該枠基体３に取り付けられる各種構成部材について、図２０乃至図２４を参照して説明する。図２０は、枠基体３の正面からの分解斜視図であり、図２１は、枠基体３の背面からの分解斜視図であり、図２２は、下皿２２の正面からの分解斜視図であり、図２３は、灰皿ユニット２９の正面からの分解斜視図であり、図２４は、操作ハンドル３０の正面からの分解斜視図である。枠基体３は、合成樹脂によって一体成型されるものであり、図２０に示すように、上部の前記透明板保持枠４に対応する透明板保持枠対応板部３００と、下皿２７、灰皿ユニット２９、及び操作ハンドル３０に対応する下皿対応板部３０１と、から構成されている。透明板保持枠対応板部３００と下皿対応板部３０１とは、僅かな段差をもって形成されており、また、透明板保持枠対応板部３００のほぼ中央には、遊技盤４０の前記遊技領域４１が臨む開口３０２が開設されている。開口３０２は、ほぼ角型に形成されるが、その下部一側には、遊技盤４０の下部側方に貼付される各種団体の証明用の証紙が臨むための証紙用開口３０３となっている。また、透明板保持枠対応板部３００の上部両側方には、透明板保持枠４の上部に取り付けられるスピーカ１２ａ，１２ｂの後部と枠基体３が緩衝しないように、スピーカ逃げ穴４８６が形成されている。
【０１１９】
また、透明板保持枠対応板部３００の一側上部には、枠上部ヒンジ３０６を取り付けるための枠上部ヒンジ取付面３０５が、この枠上部ヒンジ取付面３０５の下方には、枠下部ヒンジ３１８を取り付けるための枠下部ヒンジ取付面３１７が、更に、この枠下部ヒンジ取付面３１７の下方には、下皿枠ヒンジ３２２を取り付けるための下皿枠ヒンジ取付面３２１が形成されている。枠上部ヒンジ取付面３０５には、上記のように枠上部ヒンジ３０６が取り付けられる他に、枠上部ヒンジ３０６の前面側に枠上部ヒンジ３０６を被覆する枠上部ヒンジカバー３０８が取り付けられる。また、枠上部ヒンジ取付面３０５の裏面側には、枠基体上部ヒンジ３１１が取り付けられる。これら、枠上部ヒンジ３０６，枠上部ヒンジカバー３０８，枠基体上部ヒンジ３１１は、枠基体３に対して共締めされるものであり、具体的には、枠基体３の裏面側から枠基体上部ヒンジ３１１当接させ、表面側から枠上部ヒンジ３０６，枠上部ヒンジカバー３０８の順に当接させた後に、枠基体３の裏面側から枠上部ヒンジカバー３０８の取付ボス３０９に対して取付ネジ３１３を取付穴３１０を介して螺着することにより取り付ける。また、枠下部ヒンジ３１８は、取付ネジ３２０によって枠下部ヒンジ取付面３１７に取り付けられ、下皿枠ヒンジ３２２は、取付ネジ３２４によって下皿枠ヒンジ取付面３２１に取り付けられる。枠上部ヒンジ３０６は、Ｌ字形状に折り曲げられて形成され、折り曲げられて形成された水平部分の先端には、挿通穴３０７が穿設されており、この挿通穴３０７には、透明板保持枠４の上部ヒンジ金具２５４の軸支ピン２５５が挿通されるものである。また、枠下部ヒンジ３１８は、Ｌ字形状に折り曲げられて形成され、折り曲げられて形成された水平部分の先端には、軸支ピン３１９が挿通されており、この軸支ピン３１９には、透明板保持枠４の下部ヒンジ金具２５６の軸支穴１５６ａに挿通されるものである。　上記した軸支ピン２５５及び軸支ピン３１９を中心に透明板保持枠４が枠基体３に対して開閉自在に軸支される。
【０１２０】
また、枠基体３裏面の一側下端には、取付ボス３７０に対し取付ネジ３７９によって枠基体下部ヒンジ３７７が取り付けられている。この枠基体下部ヒンジ３７７は、上記した枠基体上部ヒンジ３１１と共に、枠基体３を外枠２に対して開閉自在に軸支するためのものである。枠基体上部ヒンジ３１１の上面及び枠基体下部ヒンジ３７７の下面が前方に突出していてその突出部に挿通穴３１２，３７８がそれぞれ形成され、その挿通穴３１２，３７８に外枠２に固着される軸支金具４８８の軸支ピン４８９（図６参照）が貫通して枠基体３が外枠２に開閉自在に軸支されるものである。
【０１２１】
一方、透明板保持枠対応板部３００の下辺を除く外周には、防犯溝４８７が刻設されている。この防犯溝４８７は、透明板保持枠４の補強防犯金具２５０〜２５２の防犯立片２５０ａ〜２５２ａが挿入されるものであり、透明板保持枠４を閉じたときに、防犯立片２５０ａ〜２５２ａを防犯溝４８７に侵入せしめることにより、透明板保持枠４と枠基体３との境目からピアノ線等の細い針金を差し込む不正を防止することができるものである。
【０１２２】
また、開放側の防犯溝４８７に隣接する上下部には、フック連通穴３２７が形成されている。フック連通穴３２７は、後述する施錠装置１２８の開閉枠用フック部が貫通するものであり、フック連通穴３２７から前方に突出した開閉枠用フック部が透明板保持枠４の後述する係合片２６５と係脱し得るものである。下方のフック連通穴３２７の側方には、スイッチ取付穴３０４が形成されており、このスイッチ取付穴３０４には、透明板保持枠４を開放した際にその旨を知らせる信号を発振する保持枠開放スイッチ１１１が取り付けられている。
【０１２３】
また、開放側の透明板保持枠対応板部３００の下方は、シリンダー錠装飾部材３２が取り付けられる装飾部材取付面７５７として形成されている。装飾部材取付面７５７上方及び下方には、装飾部材取付面７５７を取り付けるための取付ネジ３５６が挿通される取付穴３５５が形成され、上方の取付穴３５５の下方には、シリンダー錠２６が挿通されるシリンダー錠穴７５８が穿設されている。また、装飾部材取付面７５７に取り付けられるシリンダー錠装飾部材３２にもシリンダー錠穴３５４が穿設されている。
【０１２４】
ところで、上記透明板保持枠対応板部３００の奥側の部分は、凹んだ状態の板状の支持板部３２６として形成されており、その支持板部３２６の一側上部に上皿流出用開口３２５が形成され、該上皿流出用開口３２５の下部前方に誘導ボックス部材３４２が取着されている。上皿流出用開口３２５の前端面の上部及び側部に沿って立壁が立設され、該立壁の上端から前方に防犯用水平リブ３２９が立設される。この防犯用水平リブ３２９によって囲まれた空間には、透明板保持枠４が閉じた状態で透明板保持枠４の賞球払出口２０の裏面に止着される賞球接続樋２５３の後端部が侵入し得るようになっており、賞球接続樋４５５の後端と上皿流出用開口３２５との間からピアノ線等の不正具を挿入させないようにしている。なお、上皿流出用開口３２５の後端上面には、後方に伸びる突出片部３３１が突設され、この突出片部３３１が機構板１４０の前記上皿連通口７１３内に侵入して、賞球払出口２０から侵入せしめられるピアノ線等の不正具が枠基体３と機構板１４０との隙間から侵入しないように防止している。
【０１２５】
一方、上皿流出用開口３２５の反対側の支持板部３２６の上部にも防犯用立壁３３０が立設され、該防犯用立壁３３０の上部にも防犯用水平リブ３２９が前方に向かって延設されている。この防犯用水平リブ３２９も透明板保持枠４と枠基体３の側部からの不正具の侵入を阻止するためのものである。また、防犯用立壁３３０の裏面には、遊技盤４０を載置したときに遊技盤４０に形成される位置決め穴と係合する位置決め突起３５８が突設されている。
【０１２６】
また、支持板部３２６の前面には、誘導ボックス部材３４２及び発射レール３４５がそれぞれ支持板部３２６に穿設された各取付穴３３６ａ，３３６ｂに取付ネジ３４４，３５１で取り付けられている。発射レール３４５は、前記上皿１９から供給された打球であって球送り部材４７０から１個ずつ供給される打球をその下流端の発射位置に載置し、打球発射装置１３０の打球槌６００によって打ち出された打球を遊技盤４０の誘導レール４２に導くものである。なお、発射レール３４５の上流端と遊技盤４０の誘導レール４２の下流端との間は、ファウル球口３９９となっており、遊技領域４１に到達することなく誘導レール４２を逆走した打球が誘導ボックス部材３４２に導かれるようになっている。
【０１２７】
上記した発射レール３４５は、球の発射位置を形成するレール部材３４６と、上皿１９から供給された球を発射位置に誘導する誘導片３４７と、が取付基板３４８に取り付けられて構成されている。取付基板３４８には、レール部材３４６をビス止めするための取付ボス３４９と、誘導片３４７をビス止めするための取付穴（図示しない）と、取付基板３４８を前記支持板部３２６に取付ネジ３５１止めするための取付穴３５０と、が形成されている。レール部材３４６は、くノ字状に折曲形成されたステンレス鋼（ＳＵＳ３０４ＢＡ、ＳＵＳ３０１、３／４Ｈなど）からなる。また、レール部材３４６のくノ字状の折曲部分には、打球発射装置１３０の打球槌６００を挿通するための挿通穴（図示しない）が穿設され、その部分が球の発射位置を形成するようになっている。なお、ステンレス鋼からなるレール部材３４６の肉厚を薄くしてその表面に硬質クロムメッキの処理を施すようにしてもよい。こうした場合には、材料（ステンレス鋼）を薄くすることができ、コストダウンが招来できる。一方、誘導片３４７は、合成樹脂で形成されており、これによって供給時の球の衝撃を和らげて球を発射位置に安定させるようになっている。
【０１２８】
また、誘導ボックス部材３４２は、透明板保持枠４を開放したときに前記上皿流出用開口３２５から溢れ落ちる賞球が受け入れられる溢れ球入口３９７と、前記ファウル球口３９９と、上皿１９から球抜きされた球を受け入れる抜き球転動面３９８と、を有し、それぞれの入口から流入してきた球を支持板部３２６に形成される排出口３３５に取り込み、枠基体３の裏面下部に止着される接続樋３９２を介して下皿２７に誘導するものである。なお、誘導ボックス部材３４２の上辺一側には、発射球誘導板３４３が突設され、遊技盤４０の誘導レール４２下流端を走行する打球が複層ガラス板に衝突しないように案内している。また、支持板部３２６には、上記した誘導ボックス部材３４２の側方に配線通し開口３３２が開設されている。この配線通し開口３３２には、上皿１９内に設けられる残高表示基板１０４に実装される電気部品等からの配線、及び透明板保持枠４に設けられる電気部品（スピーカ１２ａ，１２ｂなど）からの配線をまとめて枠基体３の裏側に導くものである。
【０１２９】
また、支持板部３２６の右側方には、上皿ロック板３５２が取付ネジ３５３によって取り付けられている。この上皿ロック板３５２は、上皿開閉枠１１を閉塞した際に、上皿ロック４６０の係止片４６２が係止されるものである。
【０１３０】
また、支持板部３２６の上端辺は、遊技盤４０を載置し得るように遊技盤４０とほぼ同じ幅を有するように形成されるが、そのほぼ中央には、図２１に示すように、押え部材取付凹部３５７とアウト球連通口３３３とが形成されている。押え部材取付凹部３５７には、遊技盤４０の裏面下部を遊技盤収納枠部３９３に収納して支持板部３２６の上辺に載置した際に押圧固定するための遊技盤係止レバー３６６を取り付ける取付ボス３３４が突設形成されている。また、アウト球連通口３３３は、その下流にアウト球連絡通路３５９が連通され、そのアウト球連絡通路３５９の下流端に遊技盤４０に形成されるアウト口６９に取り込まれたアウト球を機構板１４０のアウト球通路にスムーズに導くためのアウト球誘導リブ７５０が形成されている。また、アウト球連絡通路３５９の右側方には、段差形状の枠基体球抜き通路３９４が形成されている。枠基体球抜き通路３９４は、その上部が機構板１４０の球抜き通路に連通されると共に、その下部は、後述する閉塞板３８６に形成される球抜き通路口３９６に連通している。
【０１３１】
なお、支持板部３２６の裏面は、取付穴３８７に係止片３６８を係止することにより止着される閉塞板３８６によって閉塞されており、前記アウト球誘導リブ７５０が形成される部分に対応する閉塞板３８６には、アウト球出口３８８が形成されている。また、閉塞板３８６の右側方には、前記枠基体球抜き通路３９４と対応する部分に通路カバー部３９５が突出して形成されており、通路カバー部３９５の下方には、球抜き通路口３９６が形成されている。球抜き通路口３９６は、機構板１４０の球抜き通路下流部７１２に臨んでいる。
【０１３２】
また、図示しないが、支持板部３２６と閉塞板３８６との間は、前記アウト球連絡通路３３３が形成されるように中空状になっているが、その中空部には、前記発射レール３４５、誘導ボックス部材３４２、閉塞板３８６をビスで止着するための取付ボス７５１が多数突設されている。
【０１３３】
枠基体３の透明板保持枠対応板部３００の構造は、概ね上記した通りであるが、下皿対応板部３０１においては、図２０に示すように、そのほぼ中央に余剰球排出口３３８が開設され、軸支側に灰皿用凹部３３７が形成され、開放側に配線通し穴３４０が形成されている。余剰球排出口３３８は、下皿２７に余剰の賞球を払い出すための開口であり、灰皿用凹部３３７は、灰皿ユニット２９の回動動作が行えるようにするためのものであり、配線通し穴３４０は、操作ハンドル３０の内部に設けられる各種スイッチ類の配線を枠基体３の裏側に通すための開口である。なお、下皿対応板部３０１には、後述する下皿第２セット板５４０を取り付けるための下皿取付穴３３９も多数形成されている。
【０１３４】
一方、枠基体３の裏面構造においては、図２１に示すように、遊技盤収納枠部３９３が合成樹脂によって一体的に成型されている。しかして、遊技盤収納枠部３９３は、遊技盤４０を内側に収納支持し且つ固定するものであるため、遊技盤４０を支持する構造及び遊技盤４０を正確に固定するための部品を有する。また、遊技盤収納枠部３９３は、遊技盤４０の裏面に設けられて所定個数の景品球を払い出すための各種の機構が設けられる機構板１４０を正確に取り付けるための部品も有する。具体的には、遊技盤４０を収納支持する構造として遊技盤４０の左右前面と当接する内側当接段部７５２と、複数（２個）の位置決め突起４２９，４５３とがある。２つの位置決め突起３５８，３６１のうち、一方の位置決め突起３５８は、前記したように防犯用立壁３３０の裏面側に突設されるが、他方の位置決め突起３６１は、枠基体３の上部中央に突設される。
【０１３５】
上記のような遊技盤収納構造においては、遊技盤４０の下部は、前記支持板部３２６の上面に載置されると共に位置決め突起３５８によって位置決めされ、左右を遊技盤収納枠部３９３及び内側当接段部７５２（リブ）とによって規制され、更に、上部を位置決め突起３６１と内側当接段部７５２とによって当接位置決めすることにより遊技盤４０を正確な位置に収納されるようになっている。なお、上部位置には、外枠当接リブ３６２が突設されているが、この外枠当接リブ３６２は、外枠２と枠基体３の内側との間隔を狭くして、枠基体３の上動範囲を小さくするものであり、これによって枠基体３を外枠２に対して閉じたときにガタ付きのないようしている。
【０１３６】
また、遊技盤４０を固定するための部品として複数（４個）の遊技盤係止レバー３６６，７５３がある。遊技盤係止レバー３６６は、遊技盤４０を遊技盤収納枠部３９３に隣接した位置に形成されるレバー取付穴３６０に装着した状態で回動することにより遊技盤４０の裏面から押圧して遊技盤４０を遊技盤収納枠部３９３内に堅固に収納支持固定するものである。一方、遊技盤係止レバー７５３は、前記支持板部３２６の押え部材取付凹部３５７に突設される取付ボス３３４に取付ネジ３６７で固着されるものである。
【０１３７】
また、機構板１４０を取り付けるための部品として複数（３個）の機構板固定用突起３６４がある。しかして、１つの機構板固定用突起３６４は、前記支持板部３２６の裏面を被覆する閉塞板３８６の左側方上部であって枠基体３の開放側に取付ネジ３６５で着脱自在に取り付けられるものである。また、他の２つの機構板固定用突起３６４は、開放側の上部と軸支側の上辺とに取付ネジ３６５で着脱自在に取り付けられる。また、枠基体３の開放側に位置する機構板固定用突起３６４の下方には、スイッチ取付部７５９が形成されており、このスイッチ取付部７５９には、枠基体３を開放した際にその旨を知らせる信号を発振する枠基体開放スイッチ１１１が取り付けられている。また、遊技盤収納枠部３９３の一側上下には、機構板１４０を開閉自在に軸支するためのヒンジ金具３１４が取付ボス３６９に取付ネジ３１６で強固に止着されている。
【０１３８】
枠基体３の裏面構造において、上記した以外の構成として、開放側の裏面に施錠装置１２８が取付ネジ３９１で取付ネジ３６３に固着され、下皿対応板部３０１の裏面に接続樋３９２（図５参照）、打球発射装置１３０、中継基板取付台３８３が固着又は装着され、軸支側上下に枠基体上部ヒンジ３１１及び枠基体下部ヒンジ３７７が固着され、更に、中継基板取付台３８３の一側方に後述する灰皿ユニット２９が回動可能あるいは回動不可のいずれかに切り換えるための灰皿固定板３８０が取付ネジ３８１で固着されている。この灰皿固定板３８０には、灰皿ユニット２９を回動可能あるいは回動不可とするために灰皿固定板３８０をいずれの方向に移動させるかの説明を記した灰皿シール３８１が貼付されている。なお、中継基板取付台３８３は、その外周端部に突設された取付片３８４が枠基体３裏面の取付ボス７５４に取付ネジ３８５止めして取り付けられる。また、枠基体３裏面の軸支側下部には、上下一対の取付ボス７５５が形成されおり、該取付ボス７５５に補強金具３７１が取付ネジ３７２で止着されるようになっている。この補強金具３７１には、配線を束ねるための配線束ね３７３が取り付けられている。なお、この補強金具３７１は、外枠２と係合するようになっていて、ガタつき防止の役目をしている。
【０１３９】
上記した施錠装置１２８は、従来から使用されているもので、シリンダー錠２６を一方向に回動させることにより、前面枠用フック３８９を上動せしめて外枠２の側板内側上下に止着される掛止片１２９（図５参照）との係合を解除して枠基体３を外枠２から開放でき、シリンダー錠２６を他方向に回動させることにより、開閉枠用フック部（図示しない）を下動せしめて透明板保持枠４の裏面開放側上下に取り付けられる係合片２６５との係合を解除して透明板保持枠４を枠基体３から開放することができるものである。なお、施錠装置１２８には、外枠２に対して枠基体３を開放した状態で開閉枠用フック部の係合を解除するためのガラス枠開放レバー３９０がその中程に設けられている。また、接続樋３９２は、機構板１４０の余剰球通路７１１の下流端に臨む賞球受開口（図示しない）と、前記誘導ボックス部材３４２に誘導された球が排出される排出口７５６の裏側を覆う誘導樋部（図示しない）とが前後方向に重複状に設けられて構成されるものである。そして、余剰球通路７１１に流出した余剰の賞球、及び誘導ボックス部材３４２に受け入れられた溢れ球、ファール球、球抜き球を下皿２７に誘導するものである。
【０１４０】
次に、下皿対応板部３０１の前面側には、そのほぼ全域を被覆する下皿２７が取り付けられる。この下皿２７の構成について図２２を参照して詳細に説明する。下皿２７は、図２２に示すように、下皿第２セット板５４０と、該下皿第２セット板５４０の前面側を被覆する下皿第１セット板５３４と、該下皿第１セット板５３４の前面側に取り付けられる下皿本体５１９と、該下皿本体５１９の前面及び左右を覆う下皿第２カバー部材５２８と、該下皿第２カバー部材５２８の前面側を被覆する下皿第１カバー部材５１３と、下皿２７の前面部分を構成する下皿カバー体４９０と、から構成されている。なお、下皿第１カバー部材５１３と下皿第２カバー部材５２８との間には、下皿中央レンズ５２５，下皿左レンズ５２６及び下皿右レンズ５２７が挟持されている。
【０１４１】
下皿第２セット板５４０は、有色の樹脂材料によって形成されるものであり、そのほぼ中央に賞球出口５４１が形成され、その賞球出口５４１の後方に賞球誘導筒部５４７が後方に突出されている。この賞球誘導筒部５４７は、前述したように下皿対応板部３０１のほぼ中央に開設される余剰球排出口３３８を貫通して前記接続樋３９２に接続されるものであり、賞球誘導筒部５４７の両側には、接続樋３９２の位置決めピン（図示しない）を差し込んで位置決めを行う位置決め穴（図示しない）が形成されている。また、賞球出口５４１の両側方上部には、差し込み溝５４８が形成されており、この差し込み溝５４８に下皿第１カバー部材５１３の両側方に形成された挿入片５５８が挿入されて下皿第２セット板５４０を下皿第１カバー部材５１３に対して位置決めするようになっている。また、賞球出口５４１の下方に位置決め突起５４９が突設されると共に一側下方に位置決め突起５４５が突設されており、位置決め突起５４９，５４５が下皿第２カバー部材５２８の位置決め穴５５０及び位置決め穴５３９にそれぞれ差し込まれて下皿第１カバー部材５１３が下皿第２カバー部材５２８に対して位置決めするようになっている。
【０１４２】
また、下皿第２セット板５４０の前面には、複数の取付ボスが突設されている。このうち取付ボス５４２は、下皿本体５１９の取付片５２１と対応させ、下皿第１セット板５３４の取付穴５３６を介して取付ネジ５２３で裏面から止着することにより、下皿第１セット板５３４及び下皿第２セット板５４０と下皿本体５１９とを組み付けるものである。また、取付ボス５４３は、下皿カバー体４９０の取付ボス４９６及び下皿第２カバー部材５２８の取付ボス５３０と対応させ、下皿第１セット板５３４の取付穴５３７を介して取付ネジ５３１で裏面から止着することにより、下皿第１セット板５３４及び下皿第２セット板５４０と下皿カバー体４９０及び下皿第２カバー部材５２８とを組み付けるものである。また、取付ボス５４４は、下皿カバー体４９０の取付ボス（図示しない）と対応させ、下皿第１セット板５３４の取付穴５３８を介して取付ネジ５４６で裏面から止着することにより、下皿第１セット板５３４及び下皿第２セット板５４０と下皿カバー体４９０とを組み付けるものである。
【０１４３】
また、賞球出口５４１の下方には、取付穴５５１が穿設されているが、この取付穴５５１は、下皿本体５１９の取付穴（図示しない）と対応させ、下皿第１セット板５３４の取付穴５５２を介して取付ネジ５２４で裏面から止着することにより、下皿第１セット板５３４及び下皿第２セット板５４０と下皿本体５１９とを組み付けるものである。
【０１４４】
また、下皿第１セット板５３４は、透明の合成樹脂により形成されるものである。下皿第１セット板５３４には、下皿第２セット板５４０と同様にそのほぼ中央に賞球出口５３５が形成され、その賞球出口５３５の後方には、下皿第２セット板５４０の賞球誘導筒部５４７の表面を覆うように賞球誘導筒被覆部５５４が後方に突出されている。また、下皿第１セット板５３４には、前述のように、下皿第２セット板５４０の取付ボス５４２，５４３，５４４、位置決め突起５４５、差し込み溝５４８、位置決め突起５４９に対応する位置に、取付穴５３６，５３７，５３８、位置決め穴５３９、差し込み溝５５３、位置決め穴５５０が形成されている。
【０１４５】
上記した下皿第１セット板５３４の前方に取り付けられる下皿本体５１９は、賞球出口５４１から流出する賞球を貯留する貯留部を有するように後方が開放された凹状に形成されている。また、下皿本体５１９の貯留部底面には、円形状の球抜き穴（図示しない）が開設され、その球抜き穴を下皿本体５１９の裏面に取り付けられる球抜き弁５０５によって開閉自在に閉塞されている。したがって、下皿本体５１９の底面の裏側には、球抜き弁５０５のスライド動作を案内する（球抜き弁５０５が水平移動し易いようにその上面と摺動する）ための球抜き弁案内リブ（図示しない）と、球抜き弁５０５を収納する球抜き弁収納箱５０８を取り付けるための取付ボス５２２とが突設形成されている。球抜き弁５０５に係る構造については、次に説明する。また、下皿本体５１９の上端前面には、当接鍔部５２０が前方に向かって突設され、下皿本体５１９を組み付けたときに下皿第１カバー部材５１３の後述する当接載置部５１５下方に嵌入されるようになっている。
【０１４６】
次に、上記した下皿本体５１９の底面の裏側に取り付けられる球抜き弁５０５について説明すると、球抜き弁５０５は、長方形状の球抜き弁収納箱５０８内にスライド可能に収納されている。具体的には、球抜き弁収納箱５０８には、その一側に前記球抜き穴に対応する開口５０９が開設され、その四隅に前記取付ボス５２２が嵌合する嵌合穴５１０が形成されている。一方、球抜き弁５０５は、球抜き弁収納箱５０８の長手方向の側壁内側に当接しながらスライドするように構成され、球抜き弁収納箱５０８の他側中央に突設されるスプリング係合突起５１１と球抜き弁５０５の裏面に形成されるスプリング係合部（図示しない）との間に差し渡されるスプリング５０７によって常に球抜き弁５０５が前記球抜き穴を閉塞する方向に付勢されている。また、球抜き弁５０５には、球抜き弁収納箱５０８の外側に突出する係合片５０６が一体的に形成されている。
【０１４７】
しかして、上記のように球抜き弁５０５が収納された球抜き弁収納箱５０８を下皿本体５１９の下部裏面から嵌合穴５１０が取付ボス５２２に嵌合するように取り付け、その後、裏面側から取付ネジ５１２を螺着することにより、球抜き弁５０５を下皿本体５１９の底面裏側に取り付けることができる。そして、取り付けた状態では、球抜き弁５０５は、スプリング５０７の付勢力により球抜き穴を閉塞するようになっているが、係合片５０６をスプリング５０７の付勢力に抗して移動させることにより、球抜き穴を開放して下皿本体５１９の貯留部に貯留される賞球を下方に球抜きすることができる。なお、係合片５０６を移動させる機構は、次に説明する下皿カバー体４９０に組み付けられている。
【０１４８】
上記のように球抜き弁５０５が装着された下皿本体５１９は、下皿カバー体４９０に組み付けられるものである。下皿カバー体４９０は、前方中央部分が膨出状に突出すると共に、両サイドが前記下皿対応板部３０１と対応するように平板状に透明の合成樹脂材料によって形成されている。前方中央部分は、下方に向けて湾曲して形成されており、その端部は、下皿第１カバー部材５１３の下部当接部５１４が当接する当接載置部４９１として形成されている。また、膨出状に突出した部分の先端には、球抜き操作レバー２８が取り付けられるレバー開閉口４９２が形成されている。また、下皿カバー体４９０の裏面側には、下皿カバー体４９０を下皿第２カバー部材５２８及び下皿第１セット板５３４と共に下皿第２セット板５４０に取り付けるための取付ボス４９６と、下皿カバー体４９０に下皿第１カバー部材５１３及び下皿第２カバー部材５２８を取り付けるための取付ボス４９４と、下皿カバー体４９０を下皿第１セット板５３４と共に下皿第２セット板５４０に取り付けるための取付ボス（図示しない）が突設されている。また、膨出状に突出した部分の下方には、前記球抜き弁収納箱５０８が貫通される長方形状の開口５５５が形成されている。
【０１４９】
また、下皿カバー体４９０の左側方には、灰皿ユニット２９が取り付けられる灰皿取付部４９５が、右側方には、操作ハンドル３０が取り付けられるハンドル固定穴４９３が形成されている。更に、灰皿取付部４９５の左側方には、目隠しカバー４９８が取り付けられるようになっている。これは、灰皿取付部４９５の左側方には、スイッチ等が取り付けられる空間が形成されているが、このスイッチ等を取り付けないときに、その空間を覆い隠すために目隠しカバー４９８を取り付けるものである。この目隠しカバー４９８は、係止片４９９を下皿カバー体４９０の係止穴（図示しない）に係止することにより取り付けるものである。なお、この下皿カバー体４９０には、後述するように、下皿本体５１９の他に下皿第１カバー体５１３、下皿中央レンズ５２５、及び下皿第２カバー部材５２８が取り付けられるようになっている。
【０１５０】
上記した下皿第１カバー体５１３は、透明な合成樹脂材料によって、中央部分が前面に膨出する円弧状に形成されており、その前面側上端部が下皿本体５１９の前面側端部と当接する当接載置部５１５として形成され、また、前面側下端部が下皿カバー体４９０の当接載置部４９１と当接する下部当接部５１４として形成されている。また、下皿第１カバー体５１３の裏面側両側方には、下皿第２カバー部材５２８を取り付けるための取付ボス（図示しない）が突設され、また、下部両側方には、下皿第１カバー体５１３を下皿第２カバー部材５２８と共に下皿カバー体４９０に取り付けるための取付片５１６が下方に向けて突設されている。
【０１５１】
また、下皿中央レンズ５２５は、有色の合成樹脂材料によって平板で円弧状に形成されている。また、下皿左レンズ５２６及び下皿右レンズ５２７も有色の合成樹脂材料によって断面がＬ字状に形成され、その正面側には、ローレット加工が施されている。
【０１５２】
更に、下皿第２カバー部材５２８は、有色の合成樹脂材料によって、中央部分が前面に膨出する円弧状に形成されており、その前面側上端部が下皿本体５１９の前面側端部と当接する当接部５２９として形成されている。下皿第２カバー部材５２８の両側方には、下皿第２カバー部材５２８を下皿第１セット板５３４及び下皿第２セット板５４０と共に下皿カバー体４９０に取り付けるための取付ボス５３０が形成され、この取付ボス５３０の下皿第２カバー部材５２８中央側の側方には、下皿第２カバー部材５２８と下皿第１カバー体５１３とを取り付けるための取付ボス５３３が形成され、更に、下皿第２カバー部材５２８の下部両側方には、下皿第２カバー部材５２８を下皿第１カバー体５１３と共に下皿カバー体４９０に取り付けるための取付片５３２が下方に向けて突設されている。
【０１５３】
しかして、下皿第１カバー体５１３中央の湾曲部分と下皿第２カバー部材５２８中央の湾曲部分との間に下皿中央レンズ５２５を、また、下皿第１カバー体５１３の両側方と下皿第２カバー部材５２８の両側方との間に、それぞれ下皿左レンズ５２６及び下皿右レンズ５２７を挟持した後、取付ネジ５１８によって下皿第１カバー体５１３に下皿第２カバー部材５２８を組み付ける。そして、組み立てられた下皿第１カバー体５１３及び下皿第２カバー部材５２８は、下皿第１カバー体５１３の取付片５１６及び下皿第２カバー部材５２８の取付片５３２に挿通した取付ネジ５１７を下皿カバー体４９０の取付ボス４９４に螺着することにより下皿カバー体４９０に取り付けられる。
【０１５４】
上記のようにして下皿第１カバー体５１３及び下皿第２カバー部材５２８が取り付けられた下皿カバー体４９０と下皿本体５１９とを組み付けた際には、下皿第１カバー体５１３，下皿第２カバー部材５２８及び下皿カバー体４９０によって下皿本体５１９の前方及び下部を覆うような形状となる。
【０１５５】
次に、前記球抜き操作レバー２８の取付構造について説明する。球抜き操作レバー２８は、遊技者が操作する指掛部５００と操作レバー２８の基体となるレバー基体５０１とから構成されている。指掛部５００は、遊技者が指掛部５００を左方に移動させ易いように左半分が操作部分として突出して形成され、この操作部分の右側面がほぼ平面状に形成されている。また、指掛部５００の裏面側には、レバー基体５０１の後述する挿入穴５５７に挿入される挿入片５５６が突設されている。また、レバー基体５０１は、下皿カバー体４９０の前面部に沿った円弧状に形成され、その前面中央には、指掛部５００の挿入片５５６が挿入される挿入穴５５７が形成されている。この挿入穴５５７の裏面側は、球抜き弁５０５の係合片５０６と係合する係合片５０２として形成されている。また、表面一側には、硬貨を挿入することが可能なコイン挿入溝５０３が形成されている。しかして、指掛部５００の挿入片５５６を下皿カバー体４９０の前面側からレバー開閉口４９２に挿入し、挿入片５５６に対して下皿カバー体４９０の裏面側からレバー基体５０１の挿入穴５５７を嵌合させる。この状態で取付ネジ５０４により指掛部５００とレバー基体５０１を固定することにより、球抜き操作レバー２８が組み立てられると同時に下皿カバー体４９０に対して取り付けられる。
【０１５６】
上記のようにして予め球抜き操作レバー２８を下皿カバー体４９０の膨出部に装着した状態において、上皿主体４８１を斜め上方から球抜き弁収納箱５０８が開口５５５に貫通するように入れる。このとき、係合片５０６が図２２の最も右側に位置するように球抜き操作レバー２８を右側に移動させておく。そして、下皿本体５１９の当接鍔部５２０を下皿第１カバー部材５１３の当接載置部５１５の下方に挿入した状態で下皿本体５１９と下皿カバー体４９０が組み付けられる。そして、この組み付け状態においては、球抜き弁５０５の係合片５０６が球抜き操作レバー２８の係合片５０２の図２２に示す左側に位置して当接した状態となっているので、球抜き操作レバー２８の指掛部５００に指を掛けて図２２の左側方向にスライドさせることにより、係合片５０２と係合片５０６とが係合して球抜き弁５０５をスプリング５０７の付勢力に抗して移動させ球抜き穴を開放する。一方、指掛部５００から指を離すとスプリング５０７の付勢力により球抜き弁５０５が球抜き穴を閉塞すると共に球抜き操作レバー２８を右側に移動させる。ただし、このとき遊技者がコイン挿入溝５０３に硬貨（例えば、１００円玉でも５００円玉でもよい）を差し込むと、硬貨とレバー用開口４９２の側壁とが当接して球抜き弁５０５及び球抜き操作レバー２８を元の位置まで戻すことができないので、球抜き操作レバー２８から手を離した状態でも球抜き穴の一部が開放したままとなって貯留されている賞球を球抜き穴から下方に落下させることができる。
【０１５７】
しかして、下皿本体５１９を下皿カバー体４９０に組み付けた後に、下皿第１セット板５３４及び下皿第２セット板５４０をこの順番で後方からあてがって取付ボス５４３，５３０，４９６を一致させて下皿第２セット板５４０の後方から取付ネジ５３１を取付ボス４９６に螺着し、取付ボス５４４と下皿カバー体４９０の取付ボス（図示しない）を一致させて下皿第２セット板５４０の後方から取付ネジ５４６を下皿カバー体４９０の取付ボスに螺着し、取付ボス５４２と取付片５２１を一致させて下皿第２セット板５４０の後方から取付ネジ５２３を取付片５２１に螺着し、取付穴５５１，５５０と下皿本体５１９の取付穴（図示しない）を一致させて下皿第２セット板５４０の後方から取付ネジ５２４を下皿本体５１９の取付穴に螺着することにより、下皿２７が組み立てられる。このとき下皿第１セット板５３４の差し込み溝５５３及び下皿第２セット板５４０の差し込み溝５４８に下皿第１カバー部材５１３の挿入片５５８が挿入される。
【０１５８】
ところで、下皿カバー体４９０の両サイドには、前記灰皿ユニット２９と操作ハンドル３０とが組み付けられるようになっている。そこで、まず、灰皿ユニット２９の取付構造について説明すると、下皿カバー体４９０の正面から見て左側には、上記したように、下皿２７を組み付けるための凹状の灰皿取付部４９５が形成されている。この灰皿取付部４９５は、下皿第２セット板５４０の後面よりも後方に突出しており、その突出した部分が枠基体３の前記灰皿用凹部３３７に収納されるようになっている。一方、灰皿ユニット２９は、図２３に示すように、灰皿ユニットの基体となる灰皿本体６７０と、上部を構成する上部部材６７２と、灰皿本体６７０の下面を被覆するカバー部材６４と、取付ベースとなるベース部材６７７と、灰皿ユニット２９を下皿２７に取り付けるためのキャップ６８２と、から構成されている。灰皿本体６７０は、前面側がほぼ半球状に形成されると共に、後面側には、ベース部材６７７の中央に形成された挿入穴６７８に挿入される突出部６７１が形成されている。全体がほぼ蒲鉾形状をしており、前面側が凹状に形成されると共に、後面側には、ベース部材６７７の中央に形成された挿入穴６７８に挿入される突出部６７３が形成されている。カバー部材６７４は、灰皿本体６７０の下面に沿った形状に形成され、その底面部には、カバー部材６７４を灰皿本体６７０に取り付けるための取付穴６７５が穿設されると共に、後面側には、灰皿ユニット２９の下皿２７に対する位置決めをするための固定突起６７６が突設されている。ベース部材６７７は、ほぼ円形状に形成され、その中央部には、灰皿本体６７０及び上部部材６７２の突出部６７１，６７３が挿入される挿入穴６７８が穿設されると共に、挿入穴６７８の下方には、カバー部材６７４の固定突起６７６が挿入される挿入穴６８０が形成されている。また、その裏面中央には、灰皿ユニット２９の回転中心となる回転軸部６７９が突設されると共に、裏面の両側方（図中、右側方側のみ図示）には、後述する灰皿ストッパ６８４によって係止される係止片６８５が突設されている。
【０１５９】
しかして、灰皿本体６７０の下面に取付ネジ６８７によってカバー部材６７４を取り付けると共に、灰皿本体６７０の上部に上部部材６７２を載置する。この状態で突出部６７１，６７３をベース部材６７７の挿入穴６７８に挿入した後、取付ネジ６８１で固定することにより組み立てられる。このとき、挿入穴６８０にカバー部材６７４の固定突起６７６が挿入される。このようにして組み立てた後、ベース部材６７７の回転軸部６７９を下皿カバー体４９０の灰皿取付部４９５内に形成された挿通穴（図示しない）に挿通し、下皿カバー体４９０の裏面側から回転軸部６７９に対して取付ネジ６８３によってキャップ６８２を取り付けることにより、灰皿ユニット２９が回動可能に下皿カバー体４９０に組み付けられる。また、灰皿取付部４９５内の前記挿通穴の上下には、カバー部材６７４の固定突起６７６が挿入され、灰皿ユニット２９の位置を決めるための上固定穴と下固定穴（いずれも図示しない）が穿設されている。更に、下皿カバー体４９０裏面であって灰皿取付部４９５一側方には、灰皿ストッパ６８４が取り付けられている。
【０１６０】
しかして、下皿カバー体４９０に組み付けられた灰皿ユニット２９は、灰皿ユニット２９を使用する位置（図２３に示す位置）と使用しない位置とにその方向を変換することができ、更に、それぞれの位置で固定することができる。具体的には、灰皿ユニット２９を使用する位置にした状態で、灰皿ユニット２９を奥側に押し込んだ場合、係止片６８５（図中に示す係止片６８５とは、反対側に位置するもの）が灰皿ストッパ６８４の係止部６８６に係止され、更に灰皿ユニット２９を押し込むことにより、係止片６８５と共に係止部６８６が停止位置まで押し込まれる。そして、係止部６８６が停止位置まで移動することで灰皿ユニット２９も停止する。このように、灰皿ストッパ６８４によって、灰皿ユニット２９が押し込まれた位置で固定される。このとき、固定突起６７６が前記下固定穴に挿入されるため、これによっても灰皿ユニット２９の位置を決めることができる。
【０１６１】
上記のように灰皿ユニット２９が使用される位置で固定されている状態で、再び灰皿ユニット２９を押し込むことにより、灰皿ストッパ６８４の停止状態が解除されて前方に移動し得る状態となる。灰皿ストッパ６８４の内部には、係止部６８６を前方に押し出す方向に付勢するスプリングが備えられているため、灰皿ストッパ６８４の停止状態が解除されると、係止部６８６と共に灰皿ユニット２９も前方に押し出されることとなる。そして、灰皿ユニット２９は、前方に押し出されて回転軸部６７９を中心に回動可能な状態となる。
【０１６２】
このように灰皿ユニット２９が回動可能な状態で、灰皿ユニット２９を１８０°回転させることにより、灰皿ユニット２９が使用できない状態となるが、この状態で奥側に押し込むことにより、係止片６８５（図中に示すもの）が灰皿ストッパ６８４の係止部６８６に係止されて、前述と同様に灰皿ユニット２９が押し込まれた位置で固定される。このとき、固定突起６７６が前記上固定穴に挿入されるため、これによっても灰皿ユニット２９の位置を決めることができる。
【０１６３】
なお、前述のように、枠基体３の裏面下部一側には、灰皿ユニット２９が回動可能あるいは回動不可のいずれかに切り換えるための灰皿固定板３８０が取り付けられているが、この灰皿固定板３８０は、灰皿ユニット２９側にスライドさせることにより、灰皿ユニット２９の一側が係止片６８５に係止されて、灰皿ユニット２９の回動ができないようにするためのものである。このように、回動可能あるいは回動不可の切り換えを枠基体３の裏面側で行なうことで、遊技者に灰皿ユニット２９の回動操作ができないようにすることができる。
【０１６４】
一方、下皿カバー体４９０の正面から見て右側には、操作ハンドル３０を取り付けるためのハンドル固定穴４９３が形成されている。このハンドル固定穴４９３は、後述する回転軸５７１及びスイッチ配線５９１だけが貫通する貫通孔が形成された有底穴であり、その底部分に形成される取付穴（図示しない）と有底面に当接する次に詳述する後握持部材５８４の端部肉厚内に形成される取付穴５５９とを合致させて取付ネジ４９７で止着することにより、操作ハンドル３０をハンドル固定穴４９３に固定する。ただし、操作ハンドル３０の固定位置は、後握持部材５８４の端部面に突設される位置決め突起５８８を有底面に形成される位置決め穴（図示しない）に係合させることにより行われる。
【０１６５】
また、前記ハンドル固定穴４９３に装着される操作ハンドル３０は、図２４に示すように、ハンドル固定穴４９３に固着される後握持部材５８４と、該後握持部材５８４前面側の取付ボス５８９に取付ボス５７７で止着され且つその外周にタッチリング１１０が周設固定されるタッチリング周設部材５７６と、同じく後握持部材５８４の前方に突設される連結ボス５８５に前方から取付ネジ５６９で止着される挟持部材５６８と、タッチリング周設部材５７６と挟持部材５６８とに挟持されて回転自在に設けられる回動操作部材５７０と、該回動操作部材５７０に付勢力を与えるスプリング５６７と、挟持部材５６８の前方に下から螺着される取付ネジ５６２によって固着される前握持部材５６０と、該前握持部材５６０に穿設された装飾穴５６１にレンズ凸部５６４が挿入されるハンドルレンズ５６３と、前握持部材５６０に取付ネジ５６６止めされることで該前握持部材５６０との間でハンドルレンズ５６３を挟持する取付板５６５と、から構成されている。回動操作部材５７０には、回転軸５７１の前端が係合しているが、その係合状態は、回転軸５７１の片面だけを切り欠いたいわゆるＤ型カット面５７２である。これに対し、回転軸５７１の後端は、後握持部材５８４の後端から外部に飛び出し且つ枠基体３の下皿対応板部３０１に開設されるハンドル軸貫通穴３４１を貫通するが、その端部には、回転軸５７１の両端面を切り欠いた両側カット面５７３となっており、この両側カット面５７３が後述する打球発射装置１３０の主動ローラ６３２に係合するようになっている。なお、回転軸５７１は、後握持部材５８４の内部後端に嵌入される軸受部材５７５によってその中程を支持されている。該軸受部材５７５は、回転軸５７１に取り付けられた止め輪５７４によって取り付け位置が規制されている。また、単発発射スイッチ１０９に接続される配線と前記タッチリング１１０に接続されるタッチ配線（図示しない）とが、スイッチ配線５９１を構成し、このスイッチ配線５９１が枠基体３の下皿対応板部３０１に開設される配線通し穴３４０を貫通して打球発射装置１３０に設けられる発射制御基板１０７に接続されるようになっている。タッチリング１１０には、タッチ配線が接続された接続端子５７９が取付ボス５９０に取付ネジ５８０止めされる。
【０１６６】
上記のように構成される操作ハンドル３０においては、回動操作部材５７０を回動操作することにより、回転軸５７１の回転動作が打球発射装置１３０の主動ローラ６３２を回転せしめて弾発力を調節する。また、遊技者が回動操作部材５７０を操作しているときには、遊技者の指がタッチリング１１０に接触するので、その接触信号も導出される。その接触信号によりタッチ回路がＯＮ状態となり、且つ単発発射スイッチ１０９がＯＦＦになって打球発射されると共に、その回動量によって発射強さが調節される。なお、単発発射スイッチ１０９をＯＮ、ＯＦＦするには揺動部材５８１（ストップボタン）を押圧操作することで行える。また、上記した単発発射スイッチ１０９及び揺動部材５８１は、それぞれ後握持部材５８４の前方に突設された取付ボス５８７，５８６に取付ネジ５８３，５８２で取り付けられている。
【０１６７】
以上、下皿カバー体４９０の両サイドに組み付けられる灰皿ユニット２９及び操作ハンドル３０について説明してきたが、これら及び下皿２７は、下皿第１セット板５３４の後面に突設される図示しない取付ボスと下皿カバー体４９０の後面側に突設される取付ボス５９２とを枠基体３の下皿対応板部３０１に開設される下皿取付穴３３９（この穴も有底である）に嵌合して裏面からビスを止着することにより、下皿２７を枠基体３の下部前面に取付固定することができるものである。
【０１６８】
次に、上記した操作ハンドル３０が操作されたときに駆動する打球発射装置１３０について図２５及び図２６を参照して説明する。図２５は、打球発射装置１３０の背面からの分解斜視図であり、図２６は、打球発射装置１３０の組立図及び正面からの分解斜視図である。打球発射装置１３０は、図２５及び図２６に示すように、パチンコ球を打撃して発射する打球槌６００と、該打球槌６００の駆動源をなすステッピングモータ（発射装置電動機）６０１と、パチンコ球の発射毎に球送り部材４７０の揺動部材４７２（図１９参照）を揺動させて順次パチンコ球を打球発射装置１３０に送り込ませる昇降杵６０２と、打球槌６００によるパチンコ球の打球力を調整する発射強度調整部６０３と、該発射強度調整部６０３に前記操作ハンドル３０の回転操作力を伝達する操作伝達部６０４と、ステッピングモータ６０１の駆動を制御する発射制御部６０５（発射制御基板１０７とこれを収容する基板ボックス６４０とから構成される）と、が取付基板６０６に取り付けられて構成されている。取付基板６０６の周縁部には、打球発射装置１３０を枠基体３の裏面側に取付ネジ６５４で取り付けるためのネジ止め穴６０７が４箇所に穿設されている。また、取付基板６０６には、各種構成部材を取り付けるための取付穴が複数穿設されると共に、発射強度調整部６０３を構成する各種部材を取り付けるための円筒突起（図示しない）が形成されている。該円筒突起の内部は、取付基板６０６の一側面と他側面の両側を連通する連通穴として形成され、該連通穴を貫通する駆動軸６０９が軸受け（図示しない）により回転自在に支持されている。
【０１６９】
打球槌６００は、アーム形状をなし、その一端側には、軸穴６００ａが穿設されると共に後述する昇降杵６０２のロッドローラ６２２と係合する係合部６１０が形成され、打球槌６００の他端には、パチンコ球を打撃する槌部がスプリング６１１によって形成されている。そして、打球槌６００は、その軸穴６００ａに駆動軸６０９の一端部が挿通された状態でワッシャ６５１を介してナット６０８によって固着されることにより、駆動軸６０９を回動中心として回動自在に取付基板６０６に取り付けられる。また、このような打球槌６００の取り付けにおいて、先端部分に回動自在なアームローラ６１２ａを取り付けたヒットアーム６１２が打球槌６００と共に駆動軸６０９に固着され、そのヒットアーム６１２が打球槌６００と一体的に駆動軸６０９を回動中心として回動するようになっている。なお、打球槌６００の図２６中における反時計方向への回転は、杵受ゴム６１３ａ，６１３ｂによって規制されるようになっている。該杵受ゴム６１３ａは、ゴムホルダー６１４を介して取付基板６０６にボルト６１５ａ及びナット６５３ａで固着されている。また、該杵受ゴム６１３ｂは、ワッシャ６５９を介して取付基板６０６にボルト６１５ｂ及びナット６５３ｂで固着されている。
【０１７０】
ステッピングモータ６０１は、取付片部６１６を取付基板６０６に取付ネジ６１７止めすることで、出力軸６０１ａが取付基板６０６を貫通した状態で取付基板６０６に取り付けられる。出力軸６０１ａには、ステッピングモータ６０１の駆動力をヒットアーム６１２（アームローラ６１２ａ）を介して打球槌６００に伝達する駆動カム６１８が一体的に取り付けられている。
【０１７１】
昇降杵６０２は、ロッドバネ６２９を備えるためのバネ設置穴６４６がその中央に形成されたロッドケース６２４と、該ロッドケース６２４の上端部に取付ネジ６２０止めされたロッドピン６２１と、ロッドケース６２４内に備えられるロッドバネ６２９と、ロッドケース６２４の下端部に回動自在に取り付けられたロッドローラ６２２と、から構成されている。昇降杵６０２は、取付基板６０６に取り付けられた補強板６３７に突設された取付ボス６３６に対し、ワッシャ６１９を介してバネ設置穴６４６に挿通した取付ネジ６２３を螺着することによって、上下方向にスライド自在に取り付けられる。但し、ロッドバネ６２９は、ロッドケース６２４内で上方への移動が規制され、常に昇降杵６０２を下方に付勢するようになっている。そして、昇降杵６０２は、打球槌６００が図２６中における時計方向に回転した場合、ロッドバネの付勢力に抗してロッドローラ６２２が係合部６１０で押し上げられることで上方に突出し、ロッドピン６２１が球送り部材４７０の揺動部材４７２を作動させて上皿１９から発射レール３４５（図２０参照）上に球を送り込むようになっている。なお、昇降杵６０２が最上部に上がった状態が打球槌６００による球の打ち込み待機状態となる。つまり、昇降杵６０２が一旦上昇してから下降することで球が発射レール３４５上に供給されると共に、打球槌６００が発射方向と反対方向に回動した状態から発射方向に回動することで、発射レール３４５上の球が発射され、誘導レール４２に沿って遊技盤４０の遊技領域に打ち込まれるわけである。
【０１７２】
発射強度調整部６０３は、外周の一部にギア部６２５ａが形成された回動リング６２５、ねじれ量によって打球の発射強度を調整するコイル状の強度調整バネ６２６、保持キャップ６２７、ラチェットカバー６２８、ラチェットアーム（図示しない）、等から構成されている。回動リング６２５には、強度調整バネ６２６の端部が係止される強度調整溝６３９が複数箇所形成されており、強度調整バネ６２６の端部をいずれの強度調整溝６３９に係止するかによって杵の戻る力が変化し、これにより打球の発射強度を調整することができる。回動リング６２５のギア部６２５ａの端には、取付基板６０６に突設された規制突起６３０が当接され、これによって回動リング６２５の図２６中における時計方向への回転が規制されるようになっている。また、保持キャップ６２７及びラチェットカバー６２８は、ワンウェイネジ６３１によって一体的に組み付けられると共に、駆動軸６０９の回動に合わせて一体的に回動するようになっている。なお、ワンウェイネジ６３１は、ネジ締め方向にしか回らない特殊なネジであり、一旦締め付けると取り外すことができないようになっている。
【０１７３】
また、ラチェットカバー６２８には、エンドキャップ（図示しない）が嵌合して取り付けられ、そのエンドキャップによって発射強度調整部６０３の内部空間（ラチェットアームの操作溝（発射強度を調整するための溝）が収容される空間）が封止状態に被覆されるようになっている。このため、エンドキャップやラチェットカバー６２８を破壊してラチェットカバー６２８からエンドキャップを取り外さない限り、発射強度調整部６０３の内部空間は開放できないようになっている。つまり、発射強度を調整すべく、操作溝によって回動操作できないようになっている。また、エンドキャップは、不透明な黒色の合成樹脂からなり、エンドキャップをラチェットカバー６２８に取り付けた状態では、発射強度調整部６０３の内部空間が外部から視認できないようになっている。つまり、操作溝が視認できないようになる。このため、発射強度調整部６０３の操作部（操作溝）が覆われていることが分らなくなるので、発射強度調整部６０３の操作部を不正に操作しようと試みたときにはその不正を行い難くすることができる。
【０１７４】
操作伝達部６０４は、一側に連結凹部６３２ａが形成されると共に外周にギア部６３２ｂが形成された主動ローラ６３２、外周にギア部６３３ａが形成された従動ローラ６３３、各ローラ６３２・６３３のギア部６３２ｂ・６３３ａ間に巻架されるギアベルト６３４、従動ローラ６３３の回転軸に一体的に取り付けられる連結ギア６３５、等から構成されている。主動ローラ６３２及び従動ローラ６３３は、それぞれ各ギア部６３２ｂ・６３３ａを打球槌６００が取り付けられる取付基板６０６の一側面に配した状態（図２６に示す状態）で取り付けられる。主動ローラ６３２の連結凹部６３２ａには、前記操作ハンドル３０の回転軸５７１が挿入状態で連結される。従動ローラ６３３と一体的に回動する連結ギア６３５には、前記回動リング６２５のギア部６２５ａが歯合される。これにより、発射ハンドル３０を回動操作させれば、その回動が主動ローラ６３２、ギアベルト６３４、従動ローラ６３３、及び連動ギア６３５を介して回動リング６２５に伝達され、回動リング６２５を回動変位させることができる。そして、このように回動変位した回動リング６２５は、その回動によって強度調整バネ６２６のねじれ量を調節する。なお、主動ローラ６３２は、ブッシュ６５５及びワッシャ６５７を介して取付基板６０６に取付ネジ６５６で回動自在に取り付けられ、従動ローラ６３３は、連結ギア６３５と共に取付ネジ６５８によって取付基板６０６に回動自在に取り付けられる。
【０１７５】
発射制御部６０５は、各種電子部品（ＣＰＵを搭載するものでも、搭載しないものでもよい）及び複数のコネクタ（図示しない）を実装してなる前記発射制御基板１０７、該発射制御基板１０７を収容する基板ボックス６４０、から構成されている。複数のコネクタには、前記発射制御電源中継基板９９からの配線、前記ステッピングモータ６０１からの配線、前記発射制御信号中継基板９８からの配線、前記操作ハンドル３０からのスイッチ配線等が接続される。
【０１７６】
上記した発射制御基板１０７を収容する基板ボックス６４０は、図２５及び図２６に示すように、前記取付基板６０６に取付ネジ６３８止めされるボックス主体６４１と、該ボックス主体６４１に取り付けられてボックス主体６４１との間で発射制御基板１０７を挟持するカバー体６４２と、を備えている。ボックス主体６４１及びカバー体６４２は、それぞれ収容する発射制御基板１０７を外部から視認可能なように透明な合成樹脂で形成されている。ボックス主体６４１の上端左方及び下端左右２箇所には、それぞれ脚部６４３が立設されており、該脚部６４３の先端部分には、ボックス主体６４１を取付基板６０６に取付ネジ６３８止めするための取付穴６４４が穿設されている。なお、取付基板６０６側には、これらの取付穴６４４と個々に対応した位置に取付穴６６０が穿設されている。また、脚部６４３はそれぞれ円筒形状をなし、その円筒内に取付ネジ６３８を挿入することで、ボックス主体６４１側から取付基板６０６に取付ネジ６３８止めを行うようになっている。このため、本実施形態のように取付面部を打球発射装置１３０の取付基板６０６から構成するような場合でも、取付基板６０６を弾球遊技機１から取り外すことなく、基板ボックス６４０の取り外しを行うことができる。
【０１７７】
そして、ボックス主体６４１（基板ボックス６４０）は、前記ステッピングモータ６０１及び前記発射強度調整部６０３を取り付けた取付基板６０６の一側面に脚部６４３を介して取り付け固定される。このため、基板ボックス６４０内に収容される発射制御基板１０７は、取付基板６０６の基板面（取付面）から所定の間隔（脚部６４３の高さ）を置いた状態（浮いた状態）で取り付けられることになる。従って、ステッピングモータ６０１周りの空気の流動性が向上でき、ステッピングモータ６０１の発熱が低減できると共に、ステッピングモータ６０１からのノイズや熱による悪影響を発射制御基板１０７が受け難くすることができる。また、このような取り付け構造によれば、取付基板６０６にそのまま発射制御基板１０７の大きさの取付スペースを設ける必要がないので、発射制御基板１０７の配置設計において省スペース化を招来することができる。なお、基板ボックス６４０を取り付ける取付面部は、打球発射装置の取付基板に限定せず、打球発射装置に関わらない弾球遊技機の裏面部分であってもよい。但し、実施形態中のように、基板ボックス６４０を打球発射装置１３０（取付基板６０６）に取り付けた構成とした方が、より一層の省スペース化を招来することができる。
【０１７８】
また、ボックス主体３４１の上端に立設された脚部６４３の上辺部分には、それぞれボックス主体６４１（基板ボックス６４０）を取付基板６０６に取り付けた状態で、ステッピングモータ６０１及び発射強度調整部６０３の一部分を被覆する被覆片６４５が形成されている。ボックス主体６４１の内壁面には、複数の位置決め片（図示しない）が形成されており、該位置決め片は、カバー体６４２との間で発射制御基板１０７を挟持する際、その先端部分で発射制御基板１０７の基板面と当接することで、基板ボックス６４０内における発射制御基板１０７の位置決めを行うようになっている。
【０１７９】
ボックス主体６４１の外周壁部分には、発射制御基板１０７の各コネクタと対応する位置及び大きさに形成された切欠部６４７と、カバー体６４２を取り付けるための係止溝６４８と、が穿設されており、切欠部６４７は、ボックス主体６４１とカバー体６４２の組み付け状態で各コネクタの接続用開口となる。
【０１８０】
一方、カバー体６４２には、前記ボックス主体６４１の係止溝６４８との係合によってカバー体６４２をボックス主体６４１に着脱可能に取り付ける係合突起（図示しない）が形成されている。また、カバー体６４２は、発射制御基板１０７の外形形状とほぼ同一の大きさで形成されて発射制御基板１０７を内嵌するようになっている。即ち、発射制御基板１０７を基板ボックス６４０内に収容する際には、先ず、発射制御基板１０７をカバー体６４２に内嵌し、そのカバー体６４２を係合突起と係止溝６４８の係合によってボックス主体６４１に取り付けることで、発射制御基板１０７が基板ボックス６４０内に収容される。なお、このような係合突起及び係止溝６４８の係合部を設けることで、カバー部材３４２を基板ボックス６４０として組み付ける際の組み付け作業が容易になる。また、発射制御基板１０７の基板ボックス６４０内への収容は、カバー体６４２とボックス主体６４１との挟持によって行われるため、発射制御基板１０７をビス止めする必要がなく、基板ボックス６４０に対する発射制御基板１０７の着脱作業が容易になる。そして、発射制御基板１０７を収容した基板ボックス６４０を前述したように取付基板６０６に取付ネジ６３８止めすることで、発射制御基板１０７が打球発射装置１３０の構成部材として組み付けられる。しかして、基板ボックス６４０を一旦取付基板６０６から取り外さなければ、カバー体６４２をボックス主体６４１から取り外すことができない構成となるので、発射制御基板１０７の不正改造をし難くでき、発射制御基板１０７に対する不正が防止できる。
【０１８１】
以上、打球発射装置１３０の構成について説明したが、打球発射装置１３０による打球の発射動作は以下に示すように行われる。即ち、遊技者が操作ハンドル３０を操作するとこれに伴ってステッピングモータ６０１が駆動し、駆動カム６１８が図２６中における反時計方向へ回転する。次に、駆動カム６１８の回転によってヒットアーム６１２並びに打球槌６００を図２６中における時計方向へ回転させると、発射強度調整部６０３の強度調整バネ６２６をさらにねじれ変化させることになる。その後、駆動カム６１８がさらに回転して駆動カム６１８がヒットアーム６１２（アームローラ６１２ａ）から離脱すると、ヒットアーム６１２並びに打球槌６００は、強度調整バネ６２６の復原力によって駆動軸６０９と共に反時計方向に回転する。そして、反時計方向に回転した打球槌６００は、昇降杵６０２の作動によって球送り部材４７０の揺動部材４７２から送り込まれた球を槌部（スプリング６１１）で打撃して遊技領域に発射させる。また、このとき、発射ハンドル３０の操作によって発射強度調整部６０３の回動リング６２５を回動させれば、打球槌６００の後退駆動（時計方向への回転）に伴う強度調整バネ６２６のねじれ量を調節することができる。つまり、打球槌６００の打撃力（発射力）を調節することができる。
【０１８２】
以上、実施形態にかかる弾球遊技機１について詳細に説明してきたが、本実施形態においては、遊技盤４０の遊技領域４１を透視し得る遊技開口としての円形透視窓５と前記遊技盤４０に配置された証明手段としての証紙を透視し得る透視窓２２５ａ，２２５ｂとが形成されると共に前記遊技開口としての円形透視窓５に対応して透明板を装着可能とする透明板保持枠４を枠基体３に対して開閉自在に設けた弾球遊技機１において、前記透明板保持枠４は、有色の化粧部材としての下部第２カバー部材２２４の前面に透明の化粧部材としての下部第１カバー部材２２１を重ねることにより形成される前面構成部材としての下部装飾ユニット２５を有し、前記透視窓２２５ａ，２２５ｂは、前記有色の化粧部材としての下部第２カバー部材２２４に形成され、前記透視窓２２５ａ，２２５ｂの前面側には、該透視窓２２５ａ，２２５ｂを被覆する前記透明の化粧部材としての下部第１カバー部材２２１が位置していることにより、証明手段としての証紙を透視し得る透視窓２２５ａ，２２５ｂの前面側から透明の化粧部材としての下部第１カバー部材２２１によって透視窓２２５ａ，２２５ｂが被覆され、透視窓２２５ａ，２２５ｂと透明の化粧部材としての下部第１カバー部材２２１との間に隙間が形成されないため、ピアノ線等の異物を侵入させることができなくなる。このように、透明の化粧部材としての下部第１カバー部材２２１を弾球遊技機１の前面側に位置させる構造で弾球遊技機１内へ異物の侵入を防止できるため、弾球遊技機１の意匠性を低下させることなく透視窓２２５ａ，２２５ｂから異物を侵入させ、不正に利益を得る等の不正行為を防止することができる。
【０１８３】
また、本実施形態においては、前記有色の化粧部材としての下部第２カバー部材２２４の前面には、前記透明の化粧部材としての下部第１カバー部材２２１との位置決めをするための位置決め部２２６が形成されていることにより、有色の化粧部材としての下部第２カバー部材２２４と透明の化粧部材としての下部第１カバー部材２２１との位置決め確実に行なうことができるため、有色の化粧部材としての下部第２カバー部材２２４の位置がずれて証明手段としての証紙が見えなくなってしまうことを防止することができる。
【０１８４】
更に、本実施形態においては、前記透明板保持枠４は、前記前面構成部材としての下部装飾ユニット２５の後面側に位置し且つ前記透視窓２２５ａ，２２５ｂと対応する位置に前記証明手段としての証紙を透視し得る後面透視窓２６３ａ，２６３ｂが形成され、前記前面構成部材としての下部装飾ユニット２５には、前記透視窓２２５ａ，２２５ｂの内側壁面と前記透明の化粧部材としての下部第１カバー部材２２１の後面とにより透視窓凹部２６４が形成され、前記後面透視窓２６３ａ，２６３ｂの外周縁には、前記透視窓凹部２６４の内側と嵌合する透視窓凸部２４４ａ，２４４ｂが突設されていることにより、万が一、透明の化粧部材としての下部第１カバー部材２２１と有色の化粧部材としての下部第２カバー部材２２４との間に異物が侵入され、不正行為が行われようとした場合であっても、透視窓凸部２４４ａ，２４４ｂによって異物の侵入を阻止することができ、より不正行為を防止することができる。
【０１８５】
なお、上記した実施形態では、特別可変表示装置４４をＬＣＤ表示器で構成しているが、特にこれに限定するものではなく、ＣＲＴ、ＬＥＤ、ＶＦＤ、ＥＬ、あるいはプラズマによる表示器や、ドラム式又はリール式で構成することも可能である。また、弾球遊技機の構成として、始動球検出器の入賞球の検出に伴って可変表示装置での識別情報の変動を開始し、該識別情報が所定の表示結果となると特定遊技状態が発生して可変入賞球装置を開放する弾球遊技機（これを俗に第１種という）を例示しているが、特にこれに限定するものではなく、始動球検出器の入賞球の検出に伴って可変入賞球装置を開放し、該可変入賞球装置内の特定領域への打球の入賞により特定遊技状態を発生する弾球遊技機（これを俗に第２種という）や、始動球検出器の入賞球の検出に伴って可変表示装置での識別情報の変動を開始し、該識別情報が所定の表示結果となると権利発生状態となり、この状態で特定領域に打球が入賞すると特定遊技状態が発生する弾球遊技機（これを俗に第３種という）であってもよい。
【０１８６】
【発明の効果】
以上、説明したところから明らかなように、請求項１の発明においては、証明手段を透視し得る透視窓の前面側から透明の化粧部材によって透視窓が被覆され、透視窓と透明の化粧部材との間に隙間が形成されないため、ピアノ線等の異物を侵入させることができなくなる。このように、透明の化粧部材を遊技機の前面側に位置させるだけの構造で遊技機内へ異物の侵入を防止できるため、遊技機の意匠性を低下させることなく証紙の取り外し等の不正行為を防止することができる。
【０１８７】
また、請求項２の発明においては、有色の化粧部材と透明の化粧部材との位置決め確実に行なうことができるため、有色の化粧部材の位置がずれて証明手段が見えなくなってしまうことを防止することができる。
【０１８８】
更に、請求項３の発明においては、万が一、透明の化粧部材と有色の化粧部材との間に異物が侵入され、不正行為が行われようとした場合であっても、透視窓凸部によって異物の侵入を阻止することができ、より不正行為を防止することができる。
【図面の簡単な説明】
【図１】本実施形態に係る弾球遊技機の正面図である。
【図２】弾球遊技機の側面図である。
【図３】弾球遊技機の平面図である。
【図４】弾球遊技機の正面斜視図である。
【図５】弾球遊技機の背面図である。
【図６】弾球遊技機の背面斜視図である。
【図７】遊技盤の拡大正面図である。
【図８】遊技盤の拡大背面図である。
【図９】主基板と各種制御基板及び電気部品との関係を示すブロック図である。
【図１０】機構板の背面図である。
【図１１】機構板の分解斜視図である。
【図１２】正面からの透明板保持枠の分解斜視図である。
【図１３】背面からの透明板保持枠の分解斜視図である。
【図１４】従来の遊技機の透視窓におけるカバー部材の取付構造を示す断面図である。
【図１５】図１におけるＡ−Ａでの概略断面図である。
【図１６】図１におけるＢ−Ｂでの概略断面図である。
【図１７】上部装飾ユニットの正面からの分解斜視図である。
【図１８】図１におけるＣ−Ｃでの概略断面図である。
【図１９】上皿開閉枠の正面からの分解斜視図である。
【図２０】枠基体の正面からの分解斜視図である。
【図２１】枠基体の背面からの分解斜視図である。
【図２２】下皿の正面からの分解斜視図である。
【図２３】灰皿ユニットの正面からの分解斜視図である。
【図２４】操作ハンドルの正面からの分解斜視図である。
【図２５】打球発射装置の背面からの分解斜視図である。
【図２６】打球発射装置の組立図及び正面からの分解斜視図である。
【符号の説明】
１　弾球遊技機（遊技機）
３　枠基体
４　透明板保持枠
５　円形透視窓
９　球切れＬＥＤ（遊技関連情報発光部材）
１０　賞球ＬＥＤ（遊技関連情報発光部材）
１３　遊技効果ＬＥＤ（発光部材）
１４ａ，１４ｃ　遊技効果ＬＥＤ（発光部材）
１４ｂ，１４ｄ　遊技効果ランプ（発光部材）
１６ａ，１６ｂ　遊技効果ランプ（発光部材）
１７ａ，１７ｂ　遊技効果ランプ（発光部材）
２２　上部装飾ユニット（装飾部材）
２３　左装飾ユニット（被覆部材）
２４　右装飾ユニット（被覆部材）
２５　下部装飾ユニット（前面構成部材）
４０　遊技盤
４１　遊技領域
２０１　左第１カバー部材（第１のカバー部材）
２０３　左第２カバー部材（第２のカバー部材）
２０３ａ　傾斜面
２１１　右第１カバー部材（第１のカバー部材）
２１３　右第２カバー部材（第２のカバー部材）
２１３ａ　傾斜面
２２１　下部第１カバー部材（透明の化粧部材）
２２４　下部第２カバー部材（有色の化粧部材）
２２５ａ　透視窓
２２５ｂ　透視窓
２２６　位置決め部
２４４ａ　透視窓凸部
２４４ｂ　透視窓凸部
２６３ａ　後面透視窓
２６３ｂ　後面透視窓
２６４　透視窓凹部
２７０　反射部材
２７１　保護カバー
２７６　隆起部（隆起部分）
２７７　隆起部側面（隆起部分の側面側）
【図１】
2004065688.tif 000003
【図２】
2004065688.tif 000004
【図３】
2004065688.tif 000005
【図４】
2004065688.tif 000006
【図５】
2004065688.tif 000007
【図６】
2004065688.tif 000008
【図７】
2004065688.tif 000009
【図８】
2004065688.tif 000010
【図９】
2004065688.tif 000011
【図１０】
2004065688.tif 000012
【図１１】
2004065688.tif 000013
【図１２】
2004065688.tif 000014
【図１３】
2004065688.tif 000015
【図１４】
2004065688.tif 000016
【図１５】
2004065688.tif 000017
【図１６】
2004065688.tif 000018
【図１７】
2004065688.tif 000019
【図１８】
2004065688.tif 000020
【図１９】
2004065688.tif 000021
【図２０】
2004065688.tif 000022
【図２１】
2004065688.tif 000023
【図２２】
2004065688.tif 000024
【図２３】
2004065688.tif 000025
【図２４】
2004065688.tif 000026
【図２５】
2004065688.tif 000027
【図２６】
2004065688.tif 000028